(57)【要約】  類似した複数のコネクタを収容するべく構成された複数の容器を包含可能な保管アダプタが提供されており、この場合に、それぞれのコネクタは、光ファイバと関連付けられている。保管アダプタは、コネクタダストキャップを収容するべく構成されたダストキャップポストと、保管アダプタをパネルに対して着脱自在に結合するべく構成された取り付け装置と、を包含可能である。
2008538424.tif 000002
【特許請求の範囲】
【請求項１】
保管アダプタにおいて、
類似した複数のコネクタを収容するべく構成された複数の容器であって、この場合に、それぞれのコネクタは、光ファイバと関連付けられている、複数の容器と、
前記複数のコネクタの少なくとも１つと関連付けられたコネクタダストキャップを収容するべく構成されたダストキャップポストと、
前記保管アダプタをパネルに対して着脱自在に結合するべく構成された取り付け装置と、
を有する保管アダプタ。
【請求項２】
前記パネルは、ヒンジ結合されたパネル又は固定されたパネルの中のいずれかである請求項１記載の保管アダプタ。
【請求項３】
前記複数の容器は、加入者終端との関連において使用されるアダプタと関連付けられたアダプタダストキャップを収容するべく更に構成されている請求項１記載の保管アダプタ。
【請求項４】
前記取り付け装置は、
ヒンジ結合されたパネルと関連付けられた下部係合装置に機能可能に係合するべく構成された第１係合装置と、
前記ヒンジ結合されたパネルと関連付けられた上部係合装置に機能可能に係合するべく構成された第２係合装置と、
を有する請求項１記載の保管アダプタ。
【請求項５】
前記第１係合装置は、前記ヒンジ結合されたパネルと関連付けられた開口部に係合するべく適合されたタブであり、この場合に、第２係合装置は、前記上部係合装置の少なくとも一部に対して力を作用させることにより、前記ヒンジ結合されたパネルとの既定の関係における前記保管アダプタの保持を円滑に実行するべく適合されている請求項４記載の保管アダプタ。
【請求項６】
前記ヒンジ結合されたパネルは、光ネットワーク内において使用されるべく適合されたエンクロージャと関連付けられている請求項２記載の保管アダプタ。
【請求項７】
前記複数のコネクタの少なくとも１つのサブセットは、宛先と関連付けられた光信号を搬送するべく適合された複数の光ファイバと関連付けられている請求項１記載の保管アダプタ。
【請求項８】
前記光ファイバは、光スプリッタと関連付けられたピグテールである請求項７記載の保管アダプタ。
【請求項９】
前記ダストキャップポストは、１つ又は複数のタイプのダストキャップの保持を円滑に実行するべく、段階化又はテーパー化されている請求項１記載の保管アダプタ。
【請求項１０】
前記複数の容器は、前記複数のコネクタの中の少なくとも１つが前記複数の容器の中の１つのものの内部の収容位置に存在している際に、前記複数のコネクタの中の前記少なくとも１つものと関連付けられた光ファイバに塵が接触することを阻止するべく適合されている請求項１記載の保管アダプタ。
【請求項１１】
前記保管アダプタは、前記保管アダプタがもはや不要となった際に、ヒンジ結合されたパネル又は固定されたパネルから除去されるべく適合されている請求項１記載の保管アダプタ。
【請求項１２】
光通信ネットワーク内において使用されるべく適合されたエンクロージャにおいて、
前記エンクロージャ上において旋回可能に支持された第１アクセスドアであって、前記第１アクセスドアが開放位置にある際に、前記エンクロージャの内部に対するアクセスを円滑に提供するべく適合されている第１アクセスドアと；
前記第１アクセスドアが閉鎖位置にある際に、前記エンクロージャの前記内部に存在し、且つ、
前記エンクロージャ内においてルーティングされた光ファイバと関連付けられており、前記光ファイバが宛先装置に対する光信号の伝達と関連していない際に収容されるコネクタを収容し、且つ、前記コネクタと関連付けられたコネクタダストキャップ又はアダプタと関連付けられたアダプタダストキャップを収容するべく、適合された保管アダプタを支持するべく、
適合されたヒンジ結合されたパネルと；
前記光信号を前記宛先装置に対して供給するべく適合された加入者終端エリアと；
を有するエンクロージャ。
【請求項１３】
配線ファイバから前記光信号を受信すると共に、前記光信号を前記光ファイバに対して供給するべく構成された光スプリッタを収容するべく適合された光スプリッタ取り付けエリアを更に有する請求項１２記載のエンクロージャ。
【請求項１４】
前記配線ファイバは、配線ファイバコネクタによって終端されており、この場合に、前記光スプリッタは、前記配線ファイバコネクタと接続して前記配線ファイバから前記光信号を受信するべく適合されている請求項１３記載のエンクロージャ。
【請求項１５】
前記ヒンジ結合されたパネルは、前記第１アクセスドアが実質的に開放位置にある際に、旋回場所を中心として旋回することにより、前記保管アダプタを技術者が利用できるようにするべく更に適合されている請求項１２記載のエンクロージャ。
【請求項１６】
前記保管アダプタは、
塵が、前記コネクタと関連付けられた前記光ファイバの端部に接触することを防止するべく適合されている、前記コネクタダストキャップを支持し、且つ、
塵が、前記加入者終端エリアと関連付けられたアダプタ内に蓄積することを防止するべく構成されている、前記アダプタダストキャップを支持するべく、
構成されている、請求項１２記載のエンクロージャ。
【請求項１７】
前記ヒンジ結合されたパネルは、もはや不要となった際に、前記エンクロージャから係合解除されるべく構成されている請求項１２記載のエンクロージャ。
【請求項１８】
前記ヒンジ結合されたパネルは、もはや不要となった際に、前記第１アクセスドアから係合解除されるべく構成されている請求項１２記載のエンクロージャ。
【請求項１９】
前記ヒンジ結合されたパネルは、塵が、前記ヒンジ結合されたパネル内の開口部を通過することを防止するべく適合されたカバーパネルを受領するべく構成されており、
前記開口部は、前記保管アダプタが前記ヒンジ結合されたパネル上において支持されていない際に利用可能となる請求項１２記載のエンクロージャ。
【請求項２０】
前記保管アダプタは、前記ヒンジ結合されたパネル上において支持されたファイバチャネルと関連付けられている請求項１２記載のエンクロージャ。
【請求項２１】
前記第１アクセスドアは、第１ヒンジを介して旋回可能に支持されており、前記ヒンジ結合されたパネルは、第２ヒンジを介して支持されている請求項１２記載のエンクロージャ。
【請求項２２】
前記第１アクセスドアと第２アクセスドアがそれぞれ閉鎖位置にある際に、前記第１アクセスドアと協働し、前記エンクロージャの入口を実質的にシーリングするべく適合された前記第２アクセスドアを更に有する請求項１２記載のエンクロージャ。
【請求項２３】
光通信ネットワーク内のエンクロージャを構成する方法において、
保管アダプタと関連付けられた保管容器からコネクタを除去する段階であって、前記保管アダプタは、ヒンジ結合されたパネルと関連付けられている、段階と、
前記保管アダプタと関連付けられたダストキャップポスト上においてコネクタダストキャップを支持する段階であって、前記コネクタダストキャップは、前記除去されたコネクタと関連付けられている、段階と、
を有する方法。
【請求項２４】
前記保管容器内においてアダプタダストキャップを支持する段階を更に有する請求項２３記載の方法。
【請求項２５】
前記保管アダプタがもはや不要となった際に、前記ヒンジ結合されたパネルから前記保管アダプタを除去する段階を更に有する請求項２３記載の方法。
【請求項２６】
前記保管アダプタがもはや不要となった際に、前記ヒンジ結合されたパネルを除去する段階を更に有する請求項２３記載の方法。
【請求項２７】
前記ヒンジ結合されたパネルを別のヒンジ結合されたパネルと交換する段階であって、前記別のヒンジ結合されたパネルは、塵が、前記エンクロージャの内部に到達することを阻止するべく構成されている、段階を更に有する請求項２３記載の方法。
【請求項２８】
複数の接続手段を収容する手段であって、この場合に、それぞれの接続手段は、光信号供給手段と関連付けられている、収容手段と、
前記接続手段が、前記光信号供給手段との関連において光信号を宛先に対して供給するべく使用されている際に、コネクタダストキャップを支持する手段と、
旋回手段を介してエンクロージャ上において支持されたパネルに対して前記収容手段を着脱自在に結合する手段と、
を有する保管アダプタ。
【発明の詳細な説明】
【技術分野】
【０００１】
本発明は、一般に、光通信ネットワークに関するものであり、更に詳しくは、受動型光通信ネットワーク内において使用されるエンクロージャ内の未使用コネクタのヒンジ結合保管のための装置及び技法に関するものである。
【０００２】
（関連出願）
本出願は、２００３年１１月１７日付けで出願された米国特許出願第１０／７１４，８１４号の一部継続である２００４年１１月１７日付けで出願された同時係属中の米国特許出願第１０／９９１，１３５号の一部継続であり、両特許出願の内容は、本引用により、それのすべてが本明細書に包含される。又、本出願は、２００５年４月１９日付けで出願された米国仮特許出願第６０／６７２，５０２号に対する優先権を米国特許法第１１９条（ｅ）項に基づいて主張するものであり、この出願の内容も、本引用により、そのすべてが本明細書に包含される。
【背景技術】
【０００３】
ＦＴＴＰ（Ｆｉｂｅｒ−Ｔｏ−Ｔｈｅ−Ｐｒｅｍｉｓｅｓ）広帯域ネットワークアプリケーションにおいては、光スプリッタを使用することにより、ネットワーク内の様々な地点において光信号を分割している。最近のネットワーク仕様は、再進入可能な屋外エンクロージャであるファイバ配線ハブ（Ｆｉｂｅｒ  Ｄｉｓｔｒｉｂｕｔｉｏｎ  ｈｕｂ：ＦＤＨ）に光スプリッタを内蔵することを要求している。これらのエンクロージャによれば、光スプリッタにアクセスするべく容易に再進入可能であり、この結果、スプリッタポートを効率的に利用すると共に、更なるスプリッタポートを増分的に追加可能である。
【０００４】
従来の通常のアプリケーションにおいては、光スプリッタは、光スプリッタモジュールハウジング内においてプレパッケージされた状態で提供されており、モジュールから延長するピグテールとしてスプリッタ出力が提供されている。これらのスプリッタ出力ピグテールには、通常、高性能の低損失シンプルコネクタ（Ｓｉｍｐｌｅ  Ｃｏｎｎｅｃｔｏｒ：ＳＣ）及び／又はＬＣコネクタが付与されている。この光スプリッタモジュール（又は、カセット）は、ハウジング内の光スプリッタコンポーネント用の保護パッケージングを提供しており、従って、さもなければ壊れやすいスプリッタコンポーネントの容易な取り扱いを提供している。この方法によれば、例えば、必要に応じて、光スプリッタモジュールをＦＤＨに増分的に追加可能である。
【０００５】
スプリッタ出力ピグテールのコネクタ付き端部の保護及び組織化の欠如に起因し、問題が発生することになる。例えば、これらのピグテールは、しばしば、エンクロージャ内のケーブルトラフ又はレースウェイ内においてぶらぶらした状態で放置されている。高性能コネクタなどの光コンポーネントを剥き出しのまま露出状態に放置すれば、損傷する可能性が高い。これらの高性能コネクタが損傷すると、コネクタを修理する間、サービス接続の遅延が発生する可能性がある。又、コネクタ付きのスプリッタ出力ピグテールをケーブルトラフ内においてぶらぶらした状態に放置すれば、ケーブルトラフ内の埃及び塵に対して露出することになる。現在のネットワークの配備状況においては、ネットワークの性能を極大化するべく、光コネクタを清浄な状態に維持することが重要であろう。
【０００６】
更には、現在の技術におけるファイバピグテールは、迅速なサービス供給にとって有用ではない方式で組織化されている。多くの場合に、スプリッタは、１つに結束された１６又は３２本の出力ピグテールを具備可能であり、特定のピグテールを見出すことが困難になっている。又、緩んで垂れ下がったピグテールの束は、簡単に縺れると共に／又は損傷可能であり、この結果、サービス供給における更なる遅延が発生することになる。これらの縺れは、輻輳を引き起こすと共に、場合によっては、曲がり誘発損失をピグテールにもたらし、結果的に、システム性能が低下することになる。
【発明の開示】
【０００７】
これらの問題点のいくつかを解決するべく、従来、別個の保存トレイ又はエンクロージャを利用することにより、緩みをとると共に／又は、スプリッタ出力ピグテールのコネクタ付き端部を保存及び保護している。しかしながら、これらの補助装置は、更なる空間を占有すると共に、しばしば、エンクロージャ内のピグテールを分かりにくくしており、特定のピグテール及び／又はコネクタを保線技術者が見出すことが困難になるという傾向を有している。この結果、エンクロージャ内のファイバピグテールに対してアクセスするのに要する時間量に応じて、新しい加入者接続の配備に遅延が発生することになる。従って、ファイバピグテール及び／又はコネクタの便利な保存を提供すると共に、エンクロージャ内において更なるスペースを占有しない解決策に対するニーズが存在している。この解決策は、ファイバピグテール及び／又はコネクタに対する直接的なアクセスと、これらの識別を提供する必要がある。
【０００８】
最後に、現在の方法は、結果的に、スプリッタ出力ピグテールの端部とスプリッタモジュールの間の関連付けが失われるという傾向を有している。ピグテールは、一旦配備されると、ファイバジャンパトラフ内においてその他のピグテールの中に紛れてしまうため、通常、このような結果をもたらすことになる。加入者をサービスから離脱させる場合には、スプリッタ出力を切断し、これを再配備するか、又は容易な再配備のために保存しておくことが望ましい。時間の経過に伴ってリソースが有効に使用されるように、スプリッタモジュールとスプリッタ出力ピグテールの間の関連付けを維持することが管理のために更に望ましい。
【０００９】
ＦＤＨは、ファイバピグテール及びファイバピグテール終端の組織化と、使用されていない際の繊細な光コンポーネントの保護を円滑に実行するべく適合可能である装置及び技法の利益を享受可能である。又、これらの装置及び技法は、加入者をネットワークとの間において効率的に接続及び切断できるように、ピグテール及びコネクタに対する容易なアクセスを円滑に提供する必要がある。又、これらの装置及び技法は、特定のスプリッタモジュールに関連付け可能な方式において、ピグテール及びコネクタをグループ化する必要もある。
【００１０】
一実装によれば、保管アダプタ（ｐａｒｋｉｎｇ  ａｄａｐｔｅｒ）が提供される。保管アダプタは、類似の複数のコネクタを収容するべく構成された複数の容器を包含可能であり、この場合に、それぞれのコネクタは、光ファイバと関連付けられている。保管アダプタは、複数のコネクタの中の少なくとも１つと関連付けられたコネクタダストキャップを収容するべく構成されたダストキャップポストを包含可能である。保管アダプタは、保管アダプタをパネルに対して着脱自在に結合するべく構成された取り付け装置を包含可能である。
【００１１】
別の実装によれば、光通信ネットワーク内において使用されるべく適合されたエンクロージャが提供される。エンクロージャは、エンクロージャ内において旋回可能に支持されると共に、第１アクセスドアが開放位置にある際にエンクロージャの内部に対するアクセスを円滑に提供するべく適合された第１アクセスドアを包含可能である。エンクロージャは、第１アクセスドアが閉鎖位置にある際にエンクロージャの内部に存在するべく適合されたヒンジ結合パネルを包含可能である。又、ヒンジ結合パネルは、エンクロージャ内においてルーティングされた光ファイバと関連付けられたコネクタを収容するべく構成された保管アダプタを支持するべく適合可能であり、この場合に、コネクタは、光ファイバが宛先装置に対する光信号の伝達と関連付けられていない場合に、収容されることになる。又、保管アダプタは、コネクタと関連付けられたコネクタダストキャップ又はアダプタと関連付けられたアダプタダストキャップを収容するべく構成することも可能である。エンクロージャは、光信号を宛先装置に対して供給するべく適合された加入者終端エリアを包含可能である。
【００１２】
更に別の実装によれば、光通信ネットワーク内のエンクロージャを構成する方法が提供される。方法は、保管アダプタと関連付けられた保管容器からコネクタを除去する段階を包含可能であり、この場合に、保管アダプタは、ヒンジ結合パネルと関連付けられている。方法は、保管アダプタと関連付けられたダストキャップポスト上にコネクタダストキャップを支持する段階を包含可能であり、この場合に、コネクタダストキャップは、除去されたコネクタと関連付けられている。
【発明を実施するための最良の形態】
【００１３】
概説したように、コネクタ付きの光スプリッタピグテールの端部を保存するためのアダプタを具備した光スプリッタモジュールが開示されている。アダプタは、管理上、例えば、１６又は３２個の出力ポートを具備したスプリッタポートを識別するべく理想的に適合された８進カウント構成において、光スプリッタモジュールバルクヘッド上に配置されている（但し、これに限定されるものではない）。好適な実施例によるアダプタは、ピグテールの出力端部を迅速に見出し、識別し、容易にアクセスし、且つ、除去するために、光スプリッタのコネクタ付き端部を保存又はステージングするべく使用される。好適な実施例によれば、モジュール上のバルクヘッドから延長する光スプリッタ出力は、引き回されてスプリッタバルクヘッド上のアダプタに対して固定される。又、好適な実施例は、光スプリッタモジュール及び関連する固定長の出力ピグテールを設置し、配備するべく準備が整った位置にピグテールのコネクタ付き端部を保存した後に、必要に応じて、スプリッタ出力を個別に接続し、サービスを加入者終端に接続する方法をも含んでいる。
【００１４】
図１は、本発明の好適な実施例による受動型光ネットワーク（Ｐａｓｓｉｖｅ  Ｏｐｔｉｃａｌ  Ｎｅｔｗｏｒｋ：ＰＯＮ）コンポーネントを使用した（例えば、ＦＴＴＰ（Ｆｉｂｅｒ−Ｔｏ−Ｔｈｅ−Ｐｒｅｍｉｓｅｓ）ネットワークであってよい）広帯域アクセスネットワーク１０を概略的に示している。
【００１５】
図１は、光回線終端装置（Ｏｐｔｉｃａｌ  Ｌｉｎｅ  Ｔｅｒｍｉｎａｌ：ＯＬＴ）１２、サービスネットワークからの音声入力１４、サービスネットワークからのデータ入力１６、サービスネットワークからのビデオ入力１８、波長分割多重ファイバ２０、受動型光スプリッタ２２、光加入者線終端装置（Ｏｐｔｉｃａｌ  Ｎｅｔｗｏｒｋ  Ｔｅｒｍｉｎａｌ：ＯＮＴ）２４及び２６、住宅、及びオフィスビルディング２８を含んでいる。
【００１６】
ネットワーク１０は、サービスネットワークから入力データストリームを受信するＯＬＴ１２を利用している。一例として、ＯＬＴ１２は、音声入力１４、データ入力１６、及びビデオ入力１８を受信可能である。次いで、ＯＬＴ１２は、多重化されたデータストリームを１つ又は複数の光ファイバ２０上において出力可能である。一実施例においては、ＯＬＴ１２は、１４９０ｎｍのレベルの波長において音声を、１３１０ｎｍのレベルの波長においてデータを、そして、１５５０ｎｍのレベルの波長においてビデオを出力可能である。光ファイバ２０は、例えば、波長分割多重（Ｗａｖｅｌｅｎｇｔｈ  Ｄｉｖｉｓｉｏｎ  Ｍｕｌｔｉｐｌｅｘｉｎｇ：ＷＤＭ）を使用して受動型光スプリッタ（Ｐａｓｓｉｖｅ  Ｏｐｔｉｃａｌ  Ｓｐｌｉｔｔｅｒ：ＰＯＳ）２２に対してデータを伝達可能である。ＰＯＳ２２は、単一のファイバ（入力ファイバ）によってデータを受信し、このデータを複数の出力ファイバに跨って分割可能である。例えば、ＰＯＳ２２は、到来するデータを８本、１６本、３２本、又はこれを上回る数の出力ファイバに跨って分割可能である。好適な実施例においては、それぞれの出力ファイバは、住宅のエンドユーザー２７又はオフィルビルディング２８内の商用エンドユーザーなどのそれぞれのエンドユーザーと関連付けられている。エンドユーザーの場所においては、多重化データを受信し、これをエンドユーザーに対して提供する光加入者線終端装置（Ｏｐｔｉｃａｌ  Ｎｅｔｗｏｒｋ  Ｔｅｒｍｉｎａｌ：ＯＮＴ）２４、２６を利用可能である。例えば、ＯＮＴ２４は、音声、ビデオ、及びデータを含む多重化データストリームを受信し、このデータストリームを逆多重化することによってデマルチプレクサとして動作し、別個の音声チャネルをユーザーの電話機に対して、別個のビデオチャネルをテレビ受像機に対して、且つ、別個のデータチャネルをコンピュータに対して供給可能である。
【００１７】
図１との関連において説明しているこのアーキテクチャは、例えば、配線エリア内のファイバハブエンクロージャにおいて１：３２のスプリッタを利用しているポイントツーマルチポイントのＰＯＮ構造であってよい。このアーキテクチャは、ファイバハブと顧客構内の間においてファイバを占有する１：１の配線であってもよく、或いは、このアーキテクチャは、希薄な１：Ｘであってもよい（ここで、Ｘは、１を上回る整数である）。ソース情報を分配するネットワーク１０の広帯域サービス能力は、例えば、データ信号（６２２Ｍｂｐｓ  ｘ  １５５Ｍｂｐｓ（共有））及びビデオ信号（８６０ＭＨｚ、〜６００個のアナログ及びデジタルチャネル、ＨＤＴＶ（Ｈｉｇｈ  Ｄｅｆｉｎｉｔｉｏｎ  Ｔｅｌｅｖｉｓｉｏｎ）、及びＶＯＤ（Ｖｉｄｅｏ  Ｏｎ  Ｄｅｍａｎｄ））を包含可能である。ソース情報は、例えば、通信サービスプロバイダ（以下、これをサービスプロバイダと呼ぶ）などの発信元に由来する音声又はビデオなどのデータから構成可能である。シグナリングは、波長分割多重（Ｗａｖｅｌｅｎｇｔｈ  Ｄｉｖｉｓｉｏｎ  Ｍｕｌｔｉｐｌｅｘｉｎｇ：ＷＤＭ）及びファイバ共有を使用して実現可能である。ネットワーク１０は、スケーラブルであって、住宅及び中小サイズの企業に対してサービスする広帯域幅のマルチサービスアプリケーションを提供するＯＮＴ２６を包含可能である。ネットワーク１０は、プラントの外部（即ち、サービスプロバイダの建物の外部）に配置されており、且つ、増幅器などの能動コンポーネントが不要であるために最小限の保守しか必要としていない受動型コンポーネントを含んでいる。
【００１８】
広帯域アクセスネットワーク１０は、デジタル多重化広帯域データストリームを受信すると共に個別の加入者ループに対して複数の逆多重化された広帯域データストリームを出力するべく構成された広帯域終端アダプタを具備したデジタル加入者プラグインラインカードを含んでいる。
【００１９】
図２は、光広帯域アクセスネットワークの代替実装５０を示している。ネットワーク５０は、回線交換／ＯＬＴ５２、ＳＡＩ、スプリッタハブ５４、住宅ＯＮＴ５６、小企業ＯＮＴ５８、オフィスパークＯＮＴ６０、スプリッタ６４、及びＦＴＴＰ（Ｆｉｂｅｒ−Ｔｏ−Ｔｈｅ−Ｐｒｅｍｉｓｅｓ）６２を包含可能である。ＦＴＴＰ広帯域ネットワークアプリケーションにおいては、光スプリッタ６４を使用することにより、ネットワーク内の様々な地点において光信号を分割している。ＦＴＴＰネットワーク５０内においては、光スプリッタは、通常、中央オフィス／ヘッドエンド、環境的に保護されているキャビネット、エンクロージャ、又はファイバドロップ終端装置を含む屋内及び屋外環境の両方に配置されている。いくつかの屋外アプリケーションにおいては、光スプリッタは、容易に再進入不可能な厳密にシーリングされた環境エンクロージャ内に配備されている。好適な実施例は、再進入可能（ｒｅーｅｎｔｅｒａｂｌｅ）な屋外エンクロージャであるファイバ配線ハブ５４に内蔵された光スプリッタを含んでいる。これらのエンクロージャによれば、保線技術者又はその他のサービス要員は、光スプリッタ６４にアクセスするべく容易に再進入可能であり、これにより、スプリッタポートを有効に利用すると共に、追加スプリッタポートを増分的に追加可能である。
【００２０】
本発明の好適な実施例は、隣接する加入者ポート内のファイバからスプリッタ出力に相互接続されたジャンパのルーティングを円滑に実行するべくファイバパッチパネル内に取り付けられた光スプリッタモジュールハウジング内にプレパッケージされた状態で提供された光スプリッタからデータを受信可能である。この光スプリッタモジュール（又は、カセット）は、保護用のパッケージングと、従って、さもなければ壊れやすいスプリッタコンポーネントの容易な取り扱いを提供している。これらの光スプリッタモジュールは、パッチパネルに対して増分的に追加可能である。
【００２１】
ＦＴＴＰ広帯域ネットワークは、固定パワー出力を具備した電子回路から最大ネットワークリーチを実現するために、低光挿入損失を実現するべく設計されている。ネットワーク内において利用されるそれぞれの光コンポーネント及びサブシステムは、最小限の挿入損失を提供するべく最適化されている。好適な実施例における光損失の予想値は、１：３２の受動型分割の場合に、約２３〜２５ｄＢである。光損失に寄与する要素及び要因は、スプリッタ（１：３２、シングル又はカスケード型）、ＷＤＭ、コネクタ（ＯＬＴ（Ｏｐｔｉｃａｌ  Ｌｉｎｅ  Ｔｅｒｍｉｎａｌ）、ＦＤＦ、スプリッタ、ドロップ、ＯＮＴ）、ファイバ減衰（少なくとも、１３１０ｎｍ、１４９０ｎｍ、及び１５５０ｎｍという３つの波長におけるもの）、及び接合を含んでいる。
【００２２】
スプリッタハブ５４は、１２８個のスプリッタポート／構内のレベルにおいてサービス可能である。これは、スプリッタと配線ハブ５４の間に、コネクタが付与された又は溶融接合された複数の配線ケーブルを含んでいる。好適な実施例との関連において使用されているスプリッタハブは、電柱又は地上に取り付け可能である。ドロップ終端装置は、スプリッタを伴う又は伴わないものであってよく、且つ、様々な数のドロップ（空中及び埋め込み型の両方）を包含可能である。
【００２３】
スプリッタ６４は、スプリッタハブ５４を介して配備可能であり、或いは、小さなエンクロージャ内に配備することも可能である。ファイバドロップ終端装置６５は、しばしば、電柱６３との関連において使用されている（図２）。電柱６３を使用することにより、ＰＯＴＳ（Ｐｌａｉｎ  Ｏｌｄ  Ｔｅｌｅｐｈｏｎｅ  Ｓｅｒｖｉｃｅ）に使用されるもの及びＣＡＴＶ（Ｃａｂｌｅ  Ｔｅｌｅｖｉｓｉｏｎ）に使用されるものなどの従来の銅ワイヤストランド（ｗｉｒｅ  ｓｔｒａｎｄ）を支持可能である。例えば、ＰＯＴＳのワイヤストランドは、複数のツイストペアから構成可能であり、ＣＡＴＶは、同軸ケーブルから構成可能である。又、電柱６３は、ＦＴＴＰサービスを供給するべく使用されるもなどの光ケーブル束を支持することも可能である。ファイバドロップ終端装置６５は、電柱６３に装着可能であると共に、ストランド内に含まれた光ファイバの１つ又は複数のものと通信可能に結合可能である。ファイバドロップ終端装置６５は、当技術分野において既知の技法を使用することにより、光ファイバに対して接合可能である。例えば、ファイバドロップ終端装置６５は、製造又は組立プラントにおいて、ストランドの既定の場所において光ファイバに接合可能であり、或いは、ファイバドロップ終端装置６５は、現場において、保線技術者又はその他の技能要員により、既定の場所において光ファイバに接合可能である。
【００２４】
受動型光ネットワーク（Ｐａｓｓｉｖｅ  Ｏｐｔｉｃ  Ｎｅｔｗｏｒｋ：ＰＯＮ）アプリケーションにおいては、ファイバドロップ終端装置を使用し、配線ケーブルとドロップケーブルの間においてインターフェイスしている。ファイバドロップ終端装置６５は、通常、大きなファイバ数の配線ケーブルの分岐点においてマルチファイバケーブルを接合することによって設置されている。ファイバドロップ終端装置は、通常、２本、４本、６本、８本、又は１２本のファイバ、いくつかの例においては、更に多くの数のファイバから構成可能である。前述の数のファイバを含む終端装置に対する入力としてシングルケーブルを使用可能である。一例として、フィードケーブルは、複数の個別の光ファイバを収容した中央チューブを具備可能である。ファイバドロップ終端装置６５の内部においては、マルチファイバフィードケーブルを個別のファイバに分離した後に、エンクロージャの外部表面上に配置された個別の丈夫な屋外コネクタ／アダプタによって終端処理している。従って、ファイバドロップ終端装置６５を使用することにより、住宅又はオフィスビルディングなどの構内の場所の近くにおいてＰＯＮ配線システムをステージングしており、この結果、加入者がサービスを要求した際に、ファイバドロップ終端装置と自宅の光加入者線終端装置（Ｏｐｔｉｃａｌ  Ｎｅｔｗｏｒｋ  Ｔｅｒｍｉｎａｌ：ＯＮＴ）の間に単純なコネクタ付きドロップケーブルを迅速に接続可能である。
【００２５】
いくつかの実施例においては、望ましい柔軟性を提供するべく、ネットワーク内において光コネクタを使用しているが、これらは、柔軟性が絶対的に必要とされるネットワーク内の地点に制限されている。光コネクタは、光スプリッタ出力に対する柔軟なアクセスを提供するために必要である。本発明の好適な実施例は、コネクタ付きピグテールを有する光スプリッタモジュールを使用することにより、コネクタの柔軟性を提供しつつ、光損失を極小化している。これらのピグテールは、標準的なＳＣ又はＬＣタイプのコネクタを端部に具備可能である。
【００２６】
図３Ａは、模範的な実施例によるコネクタ付きピグテールを具備したファイバ配線ネットワーク内の光スプリッタモジュール１００を示している。モジュール１００は、基本的に任意の数の出力ピグテールを包含可能であるが、通常の配備においては、１スプリッタモジュール当たり１６又は３２個の出力を利用することになろう。モジュール１００は、保存容器１１２を具備したバルクヘッドフェイスプレート１０２を含んでいる。一実施例においては、光スプリッタモジュール１００は、モジュール１００から延長するスプリッタ出力を保護するべく高密度のリボン配線ハーネス１０６を提供している。光スプリッタモジュールのリボンハーネス１０６は、高引っ張り強度及び曲げ半径制御を提供するべく、ストレインレリーフメカニズム１０４によってモジュール１００に固定されている。リボンハーネス１０６のコンパクトな特性は、ケーブルトラフ内における相対的に高いパッキング密度と、相対的に良好な空間利用率を実現している。このモジュールハーネスをコネクタ付きの個別のピグテールに変換することにより、スプリッタ出力を個別に管理及び再配置できるようにしている。
【００２７】
モジュール１００は、ピグテールの端部を保存するための手段として、半機能アダプタ又は全機能アダプタを具備可能である。好適な実施例においては、半機能アダプタは、保存機能以外に光ファイバターミネータを必要としないアプリケーションにおいて使用される。全機能アダプタは、光スプリッタ出力ポートに対する光ファイバターミネータの接続を必要としているアプリケーションにおいて使用される。終端処理されていないコネクタによって発生する望ましくない反射を光ファイバターミネータを装着することによって除去するべく、ピグテールのフェルール端部に対するアクセスが必要となろう。このモジュールは、ホームポジションを提供しており、サービスを開始する際には、光スプリッタ出力ピグテールをここから配備可能であり、且つ、サービスを終了する際には、スプリッタ出力ピグテールをここに戻すことができる。このようなアダプタの管理的な使用法は、コネクタ付きのピグテール端部の保護を提供し、コネクタ端部を清浄に維持すると共に、迅速なサービスの接続及び配備を可能にしている。
【００２８】
本発明の実施例は、固定長のコネクタ付きピグテールを具備した光スプリッタモジュールを有するファイバ配線ハブの構成を対象としている。一態様においては、光スプリッタポートへのアクセスを必要とするその他のファイバ終端との関係において光スプリッタモジュールを配置する場所を判定している。又、これらの実施例は、最小限のピグテールの再配置及び緩みを必要としつつ、スプリッタポートに対するアクセスを必要とするファイバ終端のすべてに到達するための十分や緩みを許容する構成におけるピグテールの設置をも提供している。光スプリッタモジュールのピグテールを設置する方法は、輻輳状態とならず、且つ、エンクロージャの設定された制限内において緩みを制御可能である最適なルーティング方式を提供するべく、ピグテールをルーティングする方法を判定する段階を含んでいる。これらの方法は、製造及び顧客による発注を容易にするべく、すべてのピグテールを同一の長さにする段階を包含可能である。すべてが同一のピグテール長を具備したスプリッタモジュールによれば、その連続的な順序とは無関係に、スプリッタモジュールをパッチパネル内の任意の利用可能なスロット内に設置することができる柔軟な容易性も実現される。尚、固定長のピグテールは、多くのアプリケーションにおいて好ましいものであるが、実施例は、これに限定されるものではない。必要に応じて、可変長のピグテールを使用することも可能である。
【００２９】
又、スプリッタモジュールのピグテールを設置する１つの実施例においては、再配置及び激しい動きによってピグテールの管理が妨げられることのないように、エンクロージャ内におけるファイバの管理をも提供している。これを実現するべく、緩みと、ファイバの縺れに起因したアクセス遮断の可能性を最小化している。いくつかの実施例においては、当初のピグテールの保存、サービスの接続、サービスの切断、並びに、将来の使用における容易なアクセスを提供するための反復的な保存を含む時間に伴う激しい動きを許容している。この方法は、ケーブル経路及びファイバパッチパネル内にルーティングされるジャンパの遮断及び輻輳をもたらさない。本方法は、エンクロージャの境界内において完全に包含可能である。
【００３０】
図３Ｂは、本発明の一実施例によるモジュールシャーシフレーム１０１のファイバ配線ハブエンクロージャ内における光コンポーネントモジュール（Ｏｐｔｉｃａｌ  Ｃｏｍｐｏｎｅｎｔ  Ｍｏｄｕｌｅ：ＯＣＭ）１０７Ａ〜Ｄの図を示している。このＦＤＨ構成は、キャビネットの一側にファイバ管理ハードウェアを提供している。これにより、終端棚とスプリッタ棚の間においてファイバジャンパをルーティング可能である。緩みループを使用することにより、キャビネットの側部において過剰な緩みを管理可能である。
【００３１】
一実施例によれば、ＯＣＭモジュール１０７Ａ〜Ｄは、ネットワーク内の接続数を低減するべく、ピグテール１０５を具備することも可能である。図３ｂに示されているモジュールは、それぞれ、入力及び３２個の出力に提供されたピグテールを有する１ｘ３２スプリッタを包含可能である。ピグテールのコネクタ付き端部は、モジュール前面のバルクヘッドアダプタ１０３上に保存されている。これらの保存アダプタは、コネクタの端部を迅速に識別して配線ファイバに対して接続できるように、習熟したスペアピグテールの検出方式を提供している。アダプタの間隔は、標準的なコネクタパネルにおけるものと同一である。
【００３２】
いくつかの実施例においては、ＯＣＭモジュールは、標準的なターミネータをも具備可能である。バルクヘッドアダプタ１０３によって終端処理されたモジュールは、モジュールの前面にターミネータを具備可能である。ピグテールを介して接続され、且つ、保存アダプタを具備するモジュールは、パネルの背面にターミネータを具備している。
【００３３】
図４Ａは、本発明の一実施例による光スプリッタモジュールのピグテール１３８の設置を概略的に示している。本発明の実施例は、加入者終端フィールド１２８に隣接する棚１２９上に増分的に設置されたスプリッタモジュール１３２を含むＦＤＨ１２７の配線設置レイアウト１２５を含んでいる。同一の固定長を具備したスプリッタモジュール１３２からのコネクタ付きのピグテール１３８は、加入者終端フィールド１２８を取り囲む円周状の経路１３０においてルーティングされている。ピグテール１３８のコネクタ付きの端部は、保存容器１３４を使用することにより、スプリッタモジュール１３２の前面の位置に保存されている。この好適な実施例によるレイアウトは、加入者終端フィールド１２８に既に接続されている設置済みのピグテールを妨げることなしにスプリッタモジュールピグテールを設置できるように、ファンスルー（ｆａｎ  ｔｈｒｏｕｇｈ）配置を利用している。又、本発明の好適な方法によるこの設置レイアウトは、スプリッタモジュール１３２を保存位置内においてピグテールコネクタ１３５によって事前構成すると共にピグテールの設置プロセスを通じて保存位置内に放置可能であることをも保証している。
【００３４】
図４Ｂは、図４Ａに示されている本発明の一実施例による光スプリッタモジュールのサービス接続構成１５０を概略的に示している。本発明の実施例は、まず、個別のスプリッタ出力ピグテール１３８をスプリッタモジュール１３２内の保存位置から切断し、次いで、このピグテールを所望の加入者ポート１５２にルーティングすることにより、加入者をサービスに接続するためのサービス接続方法を含んでいる。ピグテールハーネスは、事前構成されており、且つ、加入者終端の周りにおいて円周状にルーティングされているため、ピグテール１３８は、本質的に、円周状の経路の距離を単純に低減することにより、ターゲット母集団内の所望の加入者ポートのすべてに到達する。円周状の経路を低減することにより、ピグテールの緩みは、更なる緩みを有することなる。この更なる緩みは、ピグテールがルーティングされている垂直チャネル（又は、ピグテールチャネル）１５３Ａ、１５３Ｂ内の緩みハーフループを使用することによって処理可能である。スプリッタ出力ピグテールを加入者ポート１５２に対して接続するこのようなランダムな特性は、キャビネット１４９の境界内の垂直チャネル１５３Ａ及び１５３Ｂ内において管理される様々なサイズのハーフループ１５４のグループを結果的にもたらすことになる。
【００３５】
図５Ａ及び図５Ｂは、本発明の一実施例による互いに隣接するモジュールを具備したネットワーク内における光スプリッタモジュール１３２のピグテールの設置と光スプリッタモジュール１３２のサービス接続構成をそれぞれ概略的に示している。本発明の一実施例は、隣接するフィールド内に存在してはいるが、スプリッタピグテールハーネスの円周１７８内に当初含まれてはいない加入者ポートを接続するための方法を含んでいる。この場合には、並列の位置によって円周内の加入者ポートに対するものと同一の距離において経路を具備した隣接するフィールド１８０に対してスプリッタ出力ピグテールをルーティングしている。又、これらの隣接フィールド内の加入者ポート１９２（図５Ｂ）は、ランダムに割り当てられており、従って、この結果生じる緩みは、垂直チャネル１７６内の様々なサイズのハーフループのグループを使用することによって管理されている。
【００３６】
図５Ｃ及び図５Ｄは、本発明の好適な実施例による隣接するファイバ配線ハブ内における終端及びスプリッタフィールドのサービス接続構成１９４、２０６を概略的に示している。好適な実施例においては、左側のモジュール１９６、２１４のピグテール１９８、２０８は、時計回りに円周状にルーティングされており、右側のモジュール２０２、２１６のピグテール２０４、２１０は、反時計回りに円周状にルーティングされている。この実施例におけるファイバ配線ハブは、互いに隣接して配置されており、それぞれが、スプリッタモジュールを有するスプリッタ棚と終端棚を具備している。反対方向に回転している供給方式は、加入者終端フィールドの周りの円周状のスプリッタモジュール出力ピグテールのルーティングを提供している。ピグテールの緩みは、垂直チャネル２００、２１２内に保存されている。
【００３７】
一実施例は、加入者ポート１９２からスプリッタピグテールを除去し、その出力ピグテールを新しい加入者ポートに再配備するか、又はそのピグテールをスプリッタモジュール１３２の元の保存位置に戻して保存する方法を含んでいる。この方法は、計画的な緩みの管理に起因し、遮断又は輻輳（ｃｏｎｇｅｓｔｉｎｇ）を伴っていない。
【００３８】
ＦＤＨ１２７内において使用される光スプリッタモジュール１３２の大部分の実施例は、光スプリッタ及び関連ネットワークリーチと関連した光学的予想値に関する考慮を含む特定のネットワーク構成に応じて、１６個の出力ポート又は３２個の出力ポートを具備可能である。
【００３９】
図６Ａは、幅（Ｗ１）２３０を具備したシングル幅のモジュール２２２と共に、Ｗ１の２倍のレベルである幅（Ｗ２）２３２を具備したダブル幅モジュール２２４を示している。光スプリッタモジュール２２２、２２４は、コネクタ及び／又は容器２２８、２３８、２４０を使用することにより、出力ポートがバルクヘッドフェイスプレート２２７、２２９上において終端処理されているか、或いは、この代わりに、例えば、図４Ａに示されているように、ピグテール１３８の形態における出力ポートが、バルクヘッドフェイスプレートから延長し、フェイスプレート上に配置された保存ポート２２６、２３４、２３６に戻されてステージングされている物理的な構成を具備可能である。少なくとも１つの設計実装においては、フェイスプレート２２７上のシングルカラム内に配列された出力ポート又は保存ポートを具備したシングル幅モジュールＷ１（２３０）として、１６ポートモジュール２２２を配備可能である。そして、同一の設計実装によれば、３２ポートモジュール２２４は、フェイスプレート２２９上においてそれぞれ１６個の２つのカラム内に配列された出力ポート２３４又は保存ポートを具備したダブル幅Ｗ２（２３２）のモジュールである。
【００４０】
ピグテール及び保存ポートと共に使用する際には、マルチファイバケーブルから個別のファイバピグテールに変換する保護分割装置を保存するために、マルチファイバピグテールハーネス及びこれに関連する個々のピグテールへの分割（ｂｒｅａｋｏｕｔ）によってエンクロージャ内の空間が消費されることになる。分割装置（又は、遷移部）１３１（図４Ａ）を保存するための空間は、２つの１６出力ポートモジュール２２２又は１つの３２出力ポートモジュール２２４からの分割を使用できるように設計されている。更には、遷移部１３１を保存するための空間は、円周状にルーティングされたスプリッタ出力ハーネスに沿った固定距離において配置可能である。従って、遷移部１３１の固定保存空間に対応するスプリッタモジュールを取り付けるべく割り当てられるシャーシ内の空間は、２つの１６出力ポートスプリッタモジュール２２２又は１つの３２出力ポートスプリッタモジュール２２４の設置を許容する必要がある。
【００４１】
特定の状況においては、隣接するモジュール間に空間を伴うことなしに、２つの３２ポートモジュール２２４の間の隙間に１６ポートモジュール２２２を設置する設置シーケンスを利用した構成を採用することが望ましいであろう。このような構成は、遷移部１３１を収容するために不十分な空間しか提供されていない場合には、問題を提起可能である。発生する問題の例は、遮断及び輻輳を包含可能である。ダブル幅スロット内におけるシングル幅モジュール２２２（例えば、１６出力ポートモジュール）のペアごとの設置を利用することにより、エンクロージャ１２７の指定保存エリア１３３内のスプリッタモジュールから離れた場所に保存及び固定される等しい長さの配線ハーネス遷移部１３１の対応性を維持可能である。
【００４２】
本発明の実施例は、シングル幅の１６ポートモジュールがペアで設置されていない（即ち、２つの１６ポートモジュールが直接並列に設置されていない）状況において、１６ポートシングル幅モジュール２２２に直ぐ隣接して、ユーザーが、単独又は組み合わせにおいて、３２ポートダブル幅モジュール２２４を設置することを断念させる構造及び方法を利用している。好適な実施例において利用されている技法においては、デュアル幅の３２ポートモジュールと同一の位置におけるシングル幅の１６ポートモジュールのペアごとの設置を実質的に維持する自動インデクス付きラッチ（ｉｎｄｅｘｅｄ  ｌａｎｔｃｈ）を利用している。
【００４３】
図６Ｂは、その他の場合にはシングル幅３２ポートスプリッタモジュール２５４を受け入れる同一の空間内に２つのシングル幅１６ポートスプリッタモジュールがペアごとの配列において設置されることを保証するべくスプリッタモジュールと関連付けられた固有のラッチ構成との組み合わせにおいて、スプリッタモジュールの固有のシャーシバルクヘッド取り付け構成を利用している実施例を示している。図６Ｂは、ダブル幅スプリッタモジュール２５４及びシングル幅スプリッタモジュール２６０を収容する開口部２５７を定義している上部取り付けレール２５１Ａ及び下部レール２５１Ｂを具備したバルクヘッド２５０を含んでいる。ダブル幅モジュール２５４は、容器の第１バンク２５５Ａ及び容器の第２バンク２５５Ｂと共に、上部取り付けホールペア２５６Ａ及び下部取り付けホールペア２５６Ｂをフェースプレート上に含んでいる。シングル幅モジュール２６０は、上部取り付けホール２６１Ａ及び下部取り付けホール２６１Ｂ、並びに、容器のシングルバンク２６３を含んでいる。更には、シングル幅モジュール２６０及び／又はダブル幅取り付けモジュール２５４は、取り付けラッチを包含可能である。
【００４４】
ＦＤＨシャーシには、バルクヘッド内の開口部の直接上方及び下方においてスプリッタモジュールラッチを収容する取り付けホールとの組み合わせにおいて、スプリッタモジュール２５４、２６０を収容する開口部２５７を提供するバルクヘッド２５０が供給されている。ＦＤＨシャーシのバルクヘッド上のモジュール取り付けホールのパターンは、１つのダブル幅モジュール２５４当たりに４つのホールから構成されており、これらは、開口部の上部の２つのホール２５６Ａと底部の２つのホール２５６Ｂに分割されている。この構成は、ホールのそれぞれの組が中心に向かってオフセットされており、この結果、シングル幅１６ポートモジュール２６０を同一空間内に取り付けた際に通常予想される中心においてそれらが均等に離隔するように固有の構成を有している。この固有のバルクヘッド取り付け構成は、２つのシングル幅モジュール２６０がペアごとの配列によって設置されていない限り、ダブル幅モジュール２５４をシングル幅モジュール２６０に直接隣接して設置できないことを保証している。この結果、ペアごとの設置を保証することにより、円周状の長さに沿ってスプリッタモジュールから固定距離に位置するスプリッタモジュールから離れて配置されたＦＤＨシャーシ上のスプリッタ出力ピグテール分割装置の保存エリアの適切な利用が強制されている。
【００４５】
正しい取り付けを保証するべく、１６ポートシングル幅モジュール２６０は、ラッチの左又は右へのわずかなオフセットを許容しつつ、シングル幅モジュール２６０をバルクヘッド開口部内に設置できるように、モジュールの上部及び底部に固有の形状を有するインデクシングラッチ機能を具備している。この固有のラッチ機能は、設置の際にシングル幅モジュールのラッチを左又は右にシフトさせて中心からずれたホールとのアライメントを実現する物理的な形状を有するバイポーラホール２６１Ａ、２６１Ｂである。
【００４６】
更には、シングル幅モジュール２６０のスロット状のホールは、このタイプのモジュールに通常使用されている標準的な留め具を左又は右の定位置に固定可能な固有の形状を有している。このスロット状のホールは、シングル幅モジュールが左の位置（又は、中心の左）に取り付けられた際には、留め具グロメットを中心の右に、そして、シングル幅モジュールが右の位置に取り付けられた際には、中心の左にラッチするべく、固有のハート又は二葉の形状に構成されている。ハート形状のスロットは、基本的に、バルクヘッド開口部内における後続のシフトを伴うことなしに、グロメットを着座させると共にモジュールを定位置に堅固に配置及び固定するべく十分な力を保持しつつ、ラッチを左又は右にインデクシングしている。
【００４７】
図６Ｃ〜図６Ｈは、望ましいパターンにおいて１６及び３２出力スプリッタモジュールをアライメントするべく使用されるキーイングメカニズムの態様を示している。
【００４８】
図７Ａ〜図７Ｅは、本発明の一実施例によるファイバ配線ハブの図を示している。一実施例によるＦＤＨは、ＯＳＰ（ＯｕｔＳｉｄｅ  Ｐｌａｎｔ）環境における光ファイバケーブルと受動型光スプリッタの間の接続を管理している。これらのエンクロージャは、光スプリッタを介してフィーダ及び／又は配線ケーブルを接続してＦＴＴＰネットワークアプリケーションにおいて分散サービスを提供するべく使用される。好適な実施例のＦＤＨは、ファイバハビンング（ｆｉｂｅｒ  ｈｕｂｂｉｎｇ）、動作可能なアクセス、及び再構成が重要な要件であるネットワーク内の場所における光伝送信号用の交差接続／相互接続インターフェイスを提供している。更には、このＦＤＨは、所定範囲内のサイズ及びファイバ数に対応すると共に、ピグテール、ファンアウト、及びスプリッタの工場における設置をサポートするべく設計されている。
【００４９】
好適な実施例によれば、ＦＤＨは、ポール取り付け又は台座取り付け構成において提供されている。ポール取り付け（図７Ａ及び図７Ｂ）及び台座取り付けユニット（図７Ｃ、図７Ｄ、及び図７Ｅ）の両方において、同一のキャビネット及び作業空間を利用可能である。通常、例えば、３つの異なるフィーダ数（例えば、１４４本、２１６本、及び／又は４３２本など）に対応するべく、３つのサイズのＦＤＨを利用可能であるが、制限を伴うことなしに、更なるサイズのＦＤＨを使用することも可能である。
【００５０】
参照符号２８０、２９０、３００、３１０、３２０のＦＤＨの実施例は、１つのコンパートメント内において、終端、接合、相互接続、及び分割を提供している。これらのエンクロージャは、シーリングされたグロメット（ｇｒｏｍｍｅｔ）の差込口を介して金属性又は誘電性のＯＳＰケーブルを収容している。ケーブルは、標準的な把持クランプ又は当技術分野において既知のその他の手段によって固定されている。又、ＦＤＨは、金属性部材及びキャビネット用の接地をも提供可能である。
【００５１】
エンクロージャ２８０、２９０、３００、３１０、３２０は、ケーブル、接合部、コネクタ、及び受動型光スプリッタに対して環境的及び機械的な保護を提供している。これらのエンクロージャは、通常、ヘビーゲージアルミニウムから製造されており、且つ、ＮＥＭＡ−３Ｒに適合しており、且つ、雨、風、埃、齧歯動物、及びその他の環境汚染物質に対して必要な保護を提供している。同時に、これらのエンクロージャは、容易な設置のために軽量であり、且つ、ユニット内における湿気の蓄積を防止するべく通気性を有している。又、ヘビーパウダーコート仕上げを有するアルミニウムの構造は、腐食耐性をも提供している。これらのエンクロージャには、標準的な工具又は南京錠によって施錠される安全なドアを通じてアクセス可能である。
【００５２】
図８は、本発明の一実施例によるファイバ配線ハブエンクロージャ３５０の内部コンポーネントの図を示している。ＦＤＨエンクロージャ３５０は、ファイバケーブルの終端及び受動型光スプリッタに対する相互接続をサポートするべく、いくつかの異なる方法において構成可能である。図８に示されている構成は、終端棚３５２、スプリッタ棚及び光コンポーネントモジュール３５４、接合棚３５６、及びファイバ管理用チャネル３５８を提供している。
【００５３】
終端棚３５２は、本発明の一実施例によるファイバ終端の完全な管理を提供する標準的な（Ｍａｉｎ  Ｄｉｓｔｒｉｂｕｔｉｏｎ  Ｃｅｎｔｅｒ：ＭＤＣ）エンクロージャラインに基づいたものであってよい。終端棚は、例えば、７２本、１４４本、２１６本、２８８本、又は４３２本のファイバを包含するスタブケーブルにより、工場において事前終端処理可能である。このスタブケーブルを使用することにより、住宅にルーティングされている配線ケーブルに対してサービスを接続する。配線ファイバは、認定されたコネクタによって終端処理されている。これらの終端棚は、例えば、現場においてファイバの終端に対して容易なアクセスを提供するべく人間工学的に設計された標準的な１２パック又は１８パックのアダプタパネルを使用可能である。これらのパネルは、保守のための背面への容易なアクセスを許容するべく、ヒンジ結合されたバルクヘッド上に取り付け可能である。ファイバジャンパは、エンクロージャのファイバ管理セクション３５８への遷移に伴って組織化及び保護されている。
【００５４】
スプリッタ棚３５４は、本発明の好適な実施例による光スプリッタを保持する標準的な光コンポーネントモジュール（Ｏｐｔｉｃａｌ  Ｃｏｍｐｏｎｅｎｔ  Ｍｏｄｕｌｅ：ＯＣＭ）を収容する標準的なファイバパッチパネルに基づいたものであってよい。好適な実施例においては、スプリッタモジュール（又は、カセット）は、棚内に単純にスナップ結合するべく設計されており、従って、必要に応じて増分的に追加可能である。スプリッタ棚３５４は、カセットに接続された入力及び出力ファイバを保護及び組織化するべく機能している。スプリッタ棚３５４は、様々なサイズのものを利用可能であり、様々なＯＣＭモジュール構成について棚のサイズを最適化可能である。
【００５５】
図９は、本発明の一実施例による並列装置構成を具備したファイバ配線ハブエンクロージャ３８０の概略図を示している。本発明の一実施例に従って中央ファイバ管理チャネル３８２によって分離された２つの隣接する終端棚３８８、３９０及び２つの隣接するスプリッタ棚３８４、３８６が存在している。
【００５６】
ＦＤＨは、エンクロージャの背面が固定状態に保持されることを要する電柱又は台座構成において設置可能である。これらの状況においては、キャビネットの背面を通じてケーブル又はファイバの終端にアクセスすることができない。ＦＤＨの通常の管理においては、保線技術者が終端バルクヘッドの背面にアクセスし、背面のコネクタに対して保守作業を実行する必要があろう。このような作業の１つが、コネクタを清掃し、その内部のコンポーネントの性能を減じる可能性がある埃及び／又は汚染を除去する作業である。更には、ファイバの破損やファイバの破砕に伴って発生するものなどのファイバのトラブルシュートのためにＦＤＨエンクロージャの背面にアクセスしなければならないであろう。更には、保守アップグレードにおけるケーブルの追加や、ＦＤＨを原点として使用して分岐接合を実行し、指定のファイバを代替場所に対してルーティングする際などに、エンクロージャの背面にアクセスすることが必要であろう。このような状況において、背面のドア又はアクセスパネルが提供されていなければ、エンクロージャの背面に対するアクセスが困難であろう。このようなエンクロージャの背面にアクセスするには、ファイバコネクタ又はケーブルに対するアクセスを提供するべく、装置シャーシ及び／又は配線装置の分解を必要とすることになろう。
【００５７】
シャーシの背面におけるアクセスを提供するための構成は、作動中のファイバの移動を極小化するべく、慎重に計画しなければならない。例えば、スプリッタピグテールではなく、終端を移動させるように、構成を考案可能である。装置の１つのセクションが移動しつつ、別のものが静止状態に留まるため、このような構成は、終端及び／又はピグテールに対して過度な応力を課す可能性がある。コネクタにアクセスするための部分的な移動を含む装置は、配線システムに対する更なる容量の追加とその保守にとって好適ではないであろう。保守アクセスのために、装置トレイをスライドさせたり、又はバルクヘッドパネル装置を傾斜させる場合には、ファイバケーブル内に応力点が生成され、且つ、シャーシの特定のその他のエリアが遮断される傾向を有することになり、従って、除去可能な背面パネルを具備したエンクロージャの望ましい代替肢ではないであろう。
【００５８】
図１０は、光コネクタ、スプリッタ、及び接合部を含むシャーシ全体をスイングさせて９０度以上開放することにより、清掃及び試験のためのすべての光コンポーネントに対するアクセス及び保守又は追加のためのケーブルに対するアクセスを許容する固有のスイングフレームシャーシ３２２を有するべく設計されたＦＤＨエンクロージャ３０１の好適な実施例を示している。このスイングフレーム設計は、キャビネットの背面に対する完全なアクセスを必要とすることになる将来使用する追加ケーブルをユニット内に追加するのに必要な設備を提供している。例えば、背面ペネトレータパンチアウト３２０に対するアクセスは、スイングシャーシを開放位置に開くことによって可能である。パンチアウトを除去したら、耐候性フィードスルーを設置可能であり、次いで、これらのフィードスルーを通じて、マルチファイバケーブルをエンクロージャ内に通すことができる。
【００５９】
ＦＤＨキャビネット３０１の一実施例は、背面に対する容易なアクセスを提供すると共に閉鎖された際にシャーシを定位置に堅固にロックするシングルポイントスイングフレームリリースラッチ３２６を具備可能である。リリースラッチ３２６は、図１０に示されているように配置可能であると共に／又は、リリースラッチ３２６は、エンクロージャの下部に配置することも可能である。更には、ロックを提供して様々な角度増分においてシャーシを開放状態に保持することにより、バルクヘッド３３５の背後に配置されたコンポーネントに対する作業の際に保線技術者が負傷する可能性を低減可能である。開放状態に保持するためのロックを具備している場合には、シャーシ３２２は、セルフロッキングシャーシと呼ばれる。図１０の実施例においては、シャーシ全体がヒンジ結合されており、シャーシに対してルーティングされたファイバケーブルに単一の曲がり点を提供している。このヒンジ点は、ファイバの曲がりを制御するべく、工場において構築されており、従って、このヒンジ点におけるファイバの曲がりには、現場における作業が適用されない。具体的には、シャーシヒンジ３２４及びケーブルルーティングハードウェアは、シャーシが開放又は閉鎖された際に製造者推奨曲げ半径に違反しないことを保証するべく、設計されている。例えば、シャーシ３２２は、シャーシ３２２がその動作範囲において移動した際にピグテールに関連した緩みが固定状態に留まるように装着されたピグテールシャーシ１５３Ａ、Ｂを具備可能である。
【００６０】
更には、遷移部１３１及び遷移部保存エリア１３３をシャーシ３２２上に配置可能である。この構成においては、シャーシ３２２が開放位置にある際に、上方から遷移部１３１に対してアクセス可能である。入力ファイバ及びピグテールが許容不能な方式によって妨害又は歪曲されることがないことを保証するために、ケーブル束がヒンジ３２４の周りに配置されるように、工場（又は、製造設備）においてエンクロージャ３００を構成可能である。エンクロージャ３００の事前構成により、誤配線が行われる可能性が低減される。
【００６１】
具体的には、エンクロージャ３０１の好適な実施例は、例えば、上部パネル３０２、第１側部パネル３０４、第２側部パネル３０６、底部パネル３０８、背面パネル３０９、第１ドア３１０、及び第２ドア３１２を含んでおり、これらが集合的にエンクロージャ３１０の外部寸法及び構造を構成している。更には、エンクロージャ３０１は、所望の場所におけるエンクロージャ３０１の配備を円滑に実行するべく、１つ又は複数の搬送用の取っ手３１８を包含可能である。第１及び第２ドア３１０及び３１２は、エンクロージャ３０１の内部に取り付けられたコンポーネントに対するアクセスを円滑に提供するべく、それぞれ、ヒンジ結合されたエッジ３１３、３１５によって旋回可能に取り付け可能である。更には、第１及び第２ドア３１０、３１２は、リップ３１６及びチャネル３１４のアセンブリを採用することにより、耐タンパー性及び耐候性を円滑に提供可能である。チャネル３１４は、弾性ガスケット材料との関連において機能することにより、耐候性シーリングを更に円滑に提供可能である。エンクロージャ３０１は、第１及び第２ドア３１２、３１４が閉鎖された際に、耐候性シーリングを更に円滑に提供するべく、上部表面３０２、第１側部表面３０４、第２側部表面３０６、及び底部表面３０８の内部に沿って延長する突出部３０７を更に包含可能である。ロック３１１をドア内に設置することにより、エンクロージャ３０１の内部容積に対する認可されていないアクセスを防止可能である。
【００６２】
エンクロージャ３０１は、ヒンジ３２４を使用して側部に沿ってヒンジ結合されたスイングフレーム３２２を含んでいる。ヒンジ３２４により、フレーム３２２は、ヒンジ３２４の反対側の側部がエンクロージャ３０１の内部容積から離れる方向に移動するように、旋回可能である。図１０に示されているように、フレーム３２２が開放位置にある際には、ケーブル管理トレイ３２８、スプリッタシャーシ背面カーバー３３０、及び背面終端接続部３３２と共に、背面フィードスルー３２０に対してアクセス可能である。
【００６３】
対照的に、スイングフレーム３２２が閉鎖位置にある際に容易にアクセス可能であるのは、前面バルクヘッド３３５上のコンポーネントのみである。スイングフレーム３２２が閉鎖位置にある際には、例えば、終端フィールドバルクヘッド３３４及びスプリッタシャーシバルクヘッド３３６に対してアクセス可能である。
【００６４】
相対的に大きな容量のファイバ配線ハブに向かう傾向は、光コンポーネント及びケーブルに対する背面アクセスに関する更なる懸念を生成可能である。エンクロージャのその他の寸法と共に、シャーシの幅を増大させることにより、増大した数のコネクタ、スプリッタモジュール、接合部、及び／又はファイバジャンパを含む増大した終端容量に対応しなければならないであろう。図１０のスイングフレームシャーシとの関連において説明した問題に加えて、スイングフレームＦＤＨシャーシ３２２の幅の増大に伴って更なる問題が発生可能である。
【００６５】
スイングフレームシャーシ３２２の幅の増大に伴って、シャーシが開放状態にスイングした際のスイングフレームシャーシとエンクロージャの側部壁の間のクリアランスに対応するべく、キャビネットの幅を比例して増大させなければならない。その内部にスイングフレームシャーシを利用している際には、特に、電柱に設置する場合に、特定の地点において、キャビネット全体の幅が従来の許容可能な幅よりも大きくなる。例えば、更に大きな終端フィールドを収容するべくシャーシの幅を増大させる必要があるが、スイングフレームを収容するためのエンクロージャに対する更に大きな幅の追加に起因し、スイングフレームシャーシのサイズを比例して増大させることは許容不能であろう。
【００６６】
図１１Ａは、スイングフレームシャーシ３２２を収容するのに必要なエンクロージャの追加の幅を極小化しつつ、大きな終端フィールド及び関連する大きなスイングフレームを収容する能力を有するファイバ配線ハブ３８３の一実施例を示している。ハブ３８３は、エンクロージャであってよく、且つ、例えば、背面エンクロージャ部分３８７、前面エンクロージャ部分３８５、シーム３８１、及び１つ又は複数のアクセスドアパネル３８９Ａ、３８９Ｂを包含可能である。ハブ３８３は、図示されているように、第１アクセスドア３８９Ａ及び第２アクセスドア３８９Ｂを含んでいる。ハブ３８３は、実質的に、側部壁、上部壁、及び底部壁の全体に沿って延長するシーム３８１を有するように設計された分割エンクロージャを含んでいる。シーム３８１は、背面セクション３８７からの前面セクション３８５の分離を円滑に提供している。シーム３８１は、エンクロージャ全体を実質的に分割しており、従って、スイングフレームシャーシ３２２の実装を収容するのに必要なエンクロージャの幅全体における低減を提供している。シーム３８１を利用しないエンクロージャの実装においては、スイングフレームシャーシとエンクロージャの側部の間のクリアランスを許容するべく更なる幅を必要とすることになろう。図１１Ａの分割エンクロージャ実装は、エンクロージャの固定構造部材として機能する強化された背面セクション３８７を使用して実現されている。シーム３８１は、背面セクション３８７及び強化されたヒンジ３９１を介してシャーシ全体の構造的な完全性を保証するべく、エンクロージャを深さに沿った位置において分割することにより、背面セクション３８７に対して十分な側部壁の剛性を提供している。
【００６７】
ＦＤＨは、通常、環境エンクロージャであるため、エンクロージャ内のシーム３８１をシーリングすることにより、水及びその他の環境的な要因に対して保護しなければならない。従って、背面エンクロージャ部分３８７、前面エンクロージャセクション３８５、及びシャーシは、環境障壁として機能するシーム３８１を介して圧縮シーリングによって接合されている。環境シーリングを実現するべく、連続したシーリングをエンクロージャの周りにルーティングできるように、ヒンジ３９１は、シーム３８１の外部に配置されている。更には、分割セクションを含むエンクロージャの屋根として機能する雨シールド３９３により、エンクロージャの背面セクション３８７全体をカバー可能である。ヒンジ３９１は、許容可能な方式においてファイバの曲げ半径を管理するべく、設計及び構成されている。
【００６８】
更には、前面エンクロージャ部分３８５及び背面エンクロージャ部分３８７は、エンクロージャ内に配置されると共に前面ドアを通じてのみアクセス可能な２つのクイックリリースラッチによって接合されている。これらのラッチは、背面エンクロージャ部分３７８から離れる方向におけるシャーシセクションの分離を許容することによってエンクロージャへのアクセスを提供するリリース動作を作動させる。これらのラッチは、エンクロージャを引き戻し、シーム３８１に対して圧縮を提供することによって環境シーリングを提供する。ＦＤＨ３８３は、ケーブルシールから湿気を除去するための傾斜したケーブル差込口チャネルを更に具備可能である。採用された場合には、この傾斜した差込口は、エンクロージャの背面セクションと関連付けられる。
【００６９】
背面エンクロージャ部分３８７は、固有のケーブル管理方式を提供することにより、背面及び／又は側部の差し込みを提供可能である。背面の差し込みは、ケーブルシーリングから湿気を除去するべく、従来のエンクロージャとほとんど同一の方法において傾斜した取付具を介して提供されている。又、分割エンクロージャの背面セクションは、側部セクションが同一の取付具を受け入れることによってエンクロージャ内への側部からのケーブルの差し込みを許容するべく、十分に大きなものとなるように設計されている。
【００７０】
図１１Ｂ〜図１１Ｇは、分割エンクロージャの実施例を更に示している。図１１Ｂは、雨シールド４４６から構成された上部表面４４２を示すエンクロージャ４４０の平面図を示している。図１１Ｃは、背面表面４４４及び電柱取り付けブラケット４４５Ａ〜Ｄを有する図を示している。図１１Ｄは、雨シールド４４６、前面部分４４８、中央部分４４７、及び背面部分４４４を示すエンクロージャの側部を示している。図１１Ｄの実施例においては、背面部分４４４は、例えば、電柱上に支持されることによって固定状態に留まることになる。中央部分４４７は、ヒンジを使用して背面部分に旋回可能に装着されており、前面部分４４８は、ヒンジ４５０を使用して中央部分４４７に対して旋回可能に装着されている。図１１Ｅは、例えば、光スプリッタ取り付けエリア４５６、加入者終端フィールド４５８、ケーブルレースウェイ４５４、及び第１ドア４５２Ａ及び第２ドア４５２Ｂを有するエンクロージャ４４１の正面図を示している。図１１Ｆは、中央部分４４７に旋回可能に装着された背面部分４４４及びガスケット４５０を具備したエンクロージャ４５９を示している。中央部分４４７は、開放位置にあり、且つ、例えば、３つのエッジに沿って背面部分から係合解除されている。エンクロージャ４５９は、棚４６０、光スプリッタモジュール取り付けエリア、加入者フィールドなどを更に包含可能である。図１１Ｇは、エンクロージャ４５９の背面部分を示す斜視図を示している。ラッチ４６４は、閉鎖位置において中央部分４４７を保持している。
【００７１】
図１１Ｈ及び図１１Ｉは、協働し、１つ又は複数のスイングシャーシを利用したＦＤＨエンクロージャの実施例を使用する模範的な方法を示している。まず、エンクロージャがスイングシャーシ３２２を利用しているかどうかに関する判定を実行している（段階３３７）。スイングシャーシを使用していない場合には、当技術分野において既知の従来の技法を使用してエンクロージャに対してアクセスする（段階３３９）。段階３３７においてスイングシャーシ３２２が識別された場合には、エンクロージャが分割エンクロージャであるかどうかに関する判定を実行する（段階３４１）。エンクロージャが分割エンクロージャではない場合には、エンクロージャドアを開放し（段階３４３）、本方法フローは、段階３５１の入力に進むことになる。対照的に、段階３４１において分割エンクロージャが識別された場合には、エンクロージャドアを開放し（段階３４５）、次いで、１つ又は複数の圧縮ラッチをリリースする（段階３４７）。
【００７２】
圧縮ラッチを使用することにより、耐候性を円滑に提供するべくエンクロージャのガスケットを圧縮状態に維持している。圧縮ラッチをリリースした後に、エンクロージャの移動可能な部分をその開放位置に移動させる（段階３４９）。例えば、第１セクション４４８及び／又は中央セクション４４７を開放位置に旋回可能である。段階３４９の後に、段階３４１の「いいえ」の経路からの方法フローが、メイン方法フローに再参加している。スイングシャーシ３２２をアンラッチし（段階３５１）、シャーシを開放位置に旋回している（段階３５３）。
【００７３】
シャーシが開放位置に位置した後に、フレームをエンクロージャとの関係において所望の角度に維持するためのロッキングメカニズムをシャーシフレームが具備しているかどうかに関する判定を実行する（段階３５５）。
【００７４】
ロッキングメカニズムが存在していない場合には、本方法フローは、段階３５９の入力に進むことになる。対照的に、ロッキングメカニズムが存在している場合には、ロックを係合させることにより、既定の位置にオープンシャーシを保持することになる（段階３５７）。次いで、所望のサービスを実行する（段階３５９）。一例として、所望のサービスは、エンクロージャ内の損傷又は損耗したコンポーネントの修理、エンクロージャ内のコンポーネントの検査、加入者の接続、加入者の切断、光スプリッタモジュールなどの追加コンポーネントのエンクロージャへの追加、及び／又は、エンクロージャからのコンポーネントの除去を包含可能である。
【００７５】
次に、図１１Ｉを参照すれば、サービスを実行した後に、シャーシフレームが開放位置にロックされているかどうかに関する判定を実行している（段階３６１）。シャーシが開放位置にロックされていない場合には、本方法フローは、段階３６５の入力に進むことになる。対照的に、フレームが開放状態にロックされている場合には、ロックをリリースする（段階３６３）。次いで、シャーシを閉鎖し（段階３６５）、閉鎖位置においてラッチしている（段階３６７）。
【００７６】
次いで、分割エンクロージャが開放位置にあるかどうかに関する判定を実行している（段階３６９）。分割エンクロージャが使用されていない場合には、本方法フローは、段階３７５の入力に進むことになる。対照的に、分割エンクロージャが使用されており、且つ、開放されている場合には、適切なエンクロージャセクションを閉鎖し（段階３７１）、圧縮ラッチを係合させる（段階３７３）。次いで、エンクロージャのドアを閉鎖し（段階３７５）、必要に応じて、ロックする。
【００７７】
ＦＤＨエンクロージャは、一般に、地上に立っている保線技術者からはアクセス不能である高い位置において電柱に取り付けられており、従って、保線技術者は、通常、エンクロージャの高さに上ることによってエンクロージャにアクセスしている。しばしば、エンクロージャは、保線技術者が回線接続を実行する際にエンクロージャの前面に立つことを許容する（エンクロージャの下方において電柱に装着された実質的に永久的な備品である）ユティリティプラットフォーム又はバルコニーとの関連において設置されている。保線技術者は、梯子又は階段によってバルコニーの高さに上り、次いで、バルコニーに移動して作業を実行可能である。当技術分野において使用される標準的な安全手順においては、保線技術者がセーフティハーネスとの関連において適切な安全メカニズムにラッチすることにより、梯子を上っている際、バルコニーに移動する際に、又はプラットフォーム上において作業している際に、落下した場合に、落下を防止することを要求している。安全のためのラッチング及びアクセス用の設備は、通常、ＦＤＨの設置などのエンクロージャの設置に伴って提供されている。
【００７８】
ＰＯＴＳ（Ｐｌａｉｎ  Ｏｌｄ  Ｔｅｌｅｐｈｏｎｅ  Ｓｙｓｔｅｍ）の設置などの銅製設備の設置において使用されるべく製造されたエンクロージャは、通常、ヘビーゲージスチールから製造されており、従って、セーフティハーネスをエンクロージャに対して直接ラッチングするための十分な強度が提供されていた。しかしながら、新しいエンクロージャは、相対的に容易な設置及び長期間にわたる露出に対する更なる保護を要素に提供するべく、アルミニウム又はその他の軽量の腐食耐性を有する材料から構築されている。これらの軽量エンクロージャは、命綱を装着した場合に確実に落下を防止するのに十分な構造的強度を提供してはいない。
【００７９】
通常の現場作業においては、保線技術者は、梯子からプラットフォーム又はバルコニーに移動し、高架型エンクロージャに対する作業を開始することになろう。安全手順においては、保線技術者が、移動する前に、まず、命綱を電柱の適切な構造（本明細書においては、ラッチポイント）に対して装着することを規定している。容易にアクセス可能であると共に梯子上の保線技術者との関係において最適に配置されたラッチポイントに対する命綱の装着を促進する。更には、ラッチポイントは、保線技術者が、梯子からプラットフォームに移動する際、並びに、エンクロージャに対して作業する際に、必要な移動性を保線技術者に対して提供している。更には、構造的な取っ手を提供することも可能である。構造的な取っ手は、保線技術者が梯子からプラットフォームに移動する際に保線技術者の体重を支持するべく構成可能である。更には、取っ手は、落下に関連する負荷に耐えるべく構成可能である。電柱のどちらの側から保線技術者がプラットフォームに上ることになるかを確実に事前に判定することができないため、ラッチポイント及び取っ手は、電柱及び取り付けられたエンクロージャの両方の側に取り付けられる。
【００８０】
高架型ＦＤＨの好適な実施例は、電柱取り付け型のＦＤＨに伴う１つのオプションとして設置可能である構造部材と関連したラッチポイントを包含している。この任意選択の部材を使用することにより、望ましい状況においてのみ、ラッチポイントを具備したＦＤＨを設置可能である。ラッチポイントが不要である場合には、ＦＤＨには、標準的な取り付けブラケットを提供することになる。高架型ＦＤＨの更にその他の実施例においては、最初にＦＤＨを設置した後に、望ましい場合に、構造部材及びラッチポイントを追加することによって設置後に拡張可能である標準的な取り付けブラケットを提供している。ラッチポイント及び／又は構造部材は、落下を防止するべく使用されると共に／又は正常な使用範囲を超えて使用された場合に損傷する可能性があるため、高架型ＦＤＨの実施例においては、現場で交換可能なラッチポイント及び／又は構造部材を利用している。
【００８１】
図１２Ａは、ラッチポイント４００を具備した構造部材４０４を使用して電柱４０１に取り付けられた高架型ＦＤＨ３９９の好適な実施例を示している。ＦＤＨ３９９は、エンクロージャ４０３、構造部材４０４、取り付けブラケット４１０、及び下部取り付けブラケット４１２を包含可能である。構造部材４０４は、構造部材４０４に装着されたラッチポイント４００を任意選択によって具備可能である安定部材及び／又は取り付けブラケットとして機能可能である。更には、ボルト４０８を使用して取っ手４０６をエンクロージャ取り付けブラケット４１０に着脱自在に装着することも可能である。構造部材４０４は、例えば、溶接されたビームなどのスチールビームから構築可能であり、且つ、高架型ＦＤＨエンクロージャ４０３の強度に依存することなしに、事故による落下の負荷を電柱４０１に対して直接的に伝達するための十分な強度を提供可能である。好適な実施例においては、構造部材４０４は、実質的にエンクロージャ４０３の幅全体にわたって延長可能である。更には、ラッチポイント４００は、保線技術者がＦＤＨ３９９の前面、側面、及び／又は背面からＦＤＨにアクセスできるように、配置されている。更には、ラッチポイント４００は、保線技術者がエンクロージャ４０３内において作業している間に命綱をＦＤＨ３９９のドア４１４、４１６上に垂らしておくことができるように配置されている。尚、構造部材４０４の好適な実施例においては、スチールが使用されているが、必要に応じて、アルミニウム、チタニウム、及び／又は複合材料などのその他の材料をビームに使用可能である。既定の負荷支持力を実現するべく、材料の断面寸法を特定の材料ついて適切に変更可能である。ＦＤＨ３９９の実装は、図１２Ａに示されているもの以外の形状を具備した構造部材４０４を利用可能である。構造部材４０４は、電柱４０１に対して直接取り付けることも可能であり、或いは、電柱４０１に取り付けられる介在構造に対して取り付けることも可能である。更には、必要に応じて、スタビライザバー４０４を取り外すことも可能である。
【００８２】
図１２Ａの実施例においては、ラッチポイントは、例えば、標準的な保線技術者のセーフティハーネスを固定可能である共に、事故による落下の際に保線技術者を保持するのに十分な強度を更に具備するべくサイズ設定された構造的に丈夫な「Ｄリング」ループから製造された安全リング４００から構成されている。ラッチポイント４００は、交換可能であり、且つ、一回落下した後には、交換するべく規定可能である。この結果、ラッチポイント４００は、ブラケット４０２との関連において、ボルト４０１などの留め具を使用して容易に交換できるように設計されている。又、図示の実施例においては、取っ手４０６も提供されている。取っ手４０６を電柱取り付けブラケットの側部に固定することにより、保線技術者の梯子からプラットフォームへの移動を円滑に実行可能である。具体的には、取っ手４０６は、構造部材４０４上のフランジ４１０に取り付け可能であり、且つ、梯子から電柱４０１への移動の際に保線技術者を支援するべく配置されている。例えば、電柱４０１を上る保線技術者は、梯子から高架型ＦＤＨエンクロージャの前のバルコニー上の安全な位置に移動する際に、セーフティハーネスをラッチポイント４００に対してラッチし、次いで、取っ手４０６を保持することになる。
【００８３】
高架型ＦＤＨ３９９の一般的な設置は、ＦＤＨ３９９のいずれかの側に取り付けられたラッチポイント４００及び取っ手４０６を含むことになる。取っ手４０６は、事故による落下の負荷に適合していないため、保線技術者の安全の保証を支援するベく、取っ手４０６は、保線技術者のセーフティハーネスからのラッチを受け付けることがないように設計可能である。この安全性に関る機能は、一般的な保線技術者が把持するべく許容可能な範囲内に取っ手の直径を維持しつつ、保線技術者のハーネスのセーフティラッチによって機能する直径を上回るように、取っ手４０６の直径を大きくすることによって実現される。この結果、保線技術者は、ハーネスのセーフティラッチをラッチポイント４００などの落下に適合した装置にのみ接続するように強制される。
【００８４】
図１２Ｂは、取っ手４０６及びラッチポイント４００を具備した高架型ＦＤＨエンクロージャ３９９を使用する模範的な方法を示している。図１２Ｂの方法は、保線技術者が梯子を高架型ＦＤＨ３９９が取り付けられた電柱４０１に対して配置した際に始まっている（段階４２０）。保線技術者は、高架型ＦＤＨ３９９と関連したバルコニーの高さまで電柱を上っている（段階４２２）。次いで、保線技術者は、落下を防止するべく適合された命綱をラッチポイント４００に対して装着している（段階４２４）。次いで、保線技術者は、取っ手４０６を把持し、梯子からバルコニーに移動している（段階４２６）。
【００８５】
バルコニー上において、保線技術者は、ドア４１４及び４１６を開放し、高架型ＦＤＨ３９９の内部容積内に配置されたコンポーネントに対してアクセスしている（段階４２８）。任意の必要なサービスを実行し（段階４３０）、次いで、ドア４１４、４１６を閉鎖している（段階４３２）。次いで、保線技術者は、取っ手４０６を把持し、梯子に移動している（段階４３４）。命綱をラッチポイント４００から取り外し（段階４３６）、保線技術者は、梯子を下りている（段階４３８）。
【００８６】
図１３は、本発明の好適な実施例に従って光スプリッタモジュールのピグテールを設置及び接続する方法示すフローチャートである。本方法は、パッチパネル位置内に出力ピグテールを有するスプリッタモジュールを設置する段階５２２を包含している。更には、本方法は、スプリッタモジュールの出力ピグテールを加入者終端フィールドの周りにおいて円周状にルーティングする段階５２４を含んでいる。本方法は、個々のスプリッタピグテールのコネクタ付き端部をスプリッタモジュール保存容器に接続する段階５２６を含んでいる。これらの保存容器は、当初、工場において事前調整可能である。本方法は、隣接する垂直チャネル内のハーフループにおいてピグテールの緩みを保存する次の段階５２８を含んでいる。更には、本方法は、サービスオーダーを接続又は切断するのかを決定する段階５３０を含んでいる。サービスオーダーを接続する必要がある場合には、本方法は、割り当てるべくスプリッタ出力が利用可能であるかどうかに関する段階５３２における判定を含んでいる。割り当てるべくスプリッタ出力が利用可能であると判定された場合には、本方法は、コネクタ付きのピグテールを保存位置から係合解除する段階５４２に進むことになる。段階５３８においてスプリッタ出力が利用可能ではないと判定された場合には、モジュールを追加するべく位置が利用可能であるかどうかに関する判定を実行する。「はい」の場合には、再度段階５２２から開始して以上の方法段階を再度反復することになる。但し、利用可能な位置が存在していないと判定された場合には、そのシステムの最大モジュール容量に到達している。
【００８７】
又、本方法は、段階５３０においてサービスオーダーを切断するという選択肢をも含んでいる。段階５３４は、コネクタ付きのピグテールを加入者位置から係合解除する段階を含んでおり、段階５３６においては、加入者終端フィールドの周りの拡張された円周状の経路を通じてピグテールをルーティングする段階を含んでいる。
【００８８】
本方法は、スプリッタピグテールを加入者位置に接続する段階５４４と、加入者終端フィールドの周りの縮小された円周状の経路を通じてピグテールをルーティングする段階５４６を更に含んでいる。本方法は、隣接する垂直のチャネル内の調整されたハーフループにおいてピグテールの緩みを保存する段階５４８を含んでいる。
【００８９】
本明細書の開示内容に従ってＦＤＨの内部コンポーネントの代替実施例を実施可能である。一例として、使用されていないピグテールを保存するべく、ヒンジ結合された保管パネルを利用可能である。図１４Ａは、ヒンジ結合保管を利用したシャーシ６００を示している。図１４Ａの実施例は、例えば、シャーシフレーム６０２、モジュール保持器６０３、スプリッタモジュール取り付けエリア６０４、上部スプリッタモジュール棚６０５、シャーシフレーム６０２及び保存／保管パネル６１２をエンクロージャの内部表面に対して旋回可能に取り付けている取り付けブラケット６０６、内部容積６０８、保存パネルヒンジ６１０、保存保管パネル６１２、複数の容器６１４を具備した保管部分、ファイバピグテールガイド６１６、ファイバピグテールパネル６１８、保存パネルプライマリガイド６２０、及びシャーシファイバガイド６２２を包含可能である。
【００９０】
シャーシフレーム６０２は、加入者終端フィールドを収容する内部容積６０８を具備している。シャーシ６０２は、加入者終端フィールドの上方においてスプリッタモジュールを支持するためのスプリッタモジュール棚６０５をも含んでいる。スプリッタモジュールは、保持器６０３を使用して定位置に保持されている。保持器６０３は、例えば、蝶ねじであってよい。コネクタ付きの端部を具備したファイバピグテールは、ピグテールのコネクタを介して保管容器フィールド６１４内に保存される前に、シャーシケーブルガイド６２２、パネルプライマリガイド６２０、及び１つ又は複数のパネルが取り付けられたファイバピグテールガイド６１６を通じてルーティングされる。
【００９１】
ヒンジ結合された保存／保管パネル６１２は、光スプリッタフェイスプレート上などに保存容器を具備したスプリッタモジュールを利用する実施例と比べて、高いファイバコネクタ密度を提供可能である。又、ヒンジ結合された保存／保管パネル６１２は、加入者終端フィールドの下方に配置されたスプリッタモジュールを利用する実施例と比べて、高いファイバコネクタ密度を提供可能である。更には、保存容器６１４は、１６又は３２本のピグテールを具備したスプリッタモジュールに対応するべく、１６又は３２個の容器の列として編成可能である。ピグテールコネクタが保存容器６１４から除去され、加入者終端フィールドに配備されるのに伴って、容器の列をヒンジ結合パネル６１２から取り外し、ＦＤＨ内のその他の場所において再使用可能である。更には、すべてのピグテールが加入者終端フィールドに配備された場合には、ヒンジ結合パネル６１２全体を取り外し、これにより、妨げのない加入者終端フィールドに対するアクセスを提供可能である。更には、ヒンジ結合パネル６１２は、加入者終端フィールド用の保護カバーとしてサイズ設定することも可能である。ガスケットやその他の取り外し可能なシーリング手段が提供されている場合には、ヒンジ結合パネル６１２は、埃及び塵が加入者終端フィールド上に堆積することを防止するべく機能可能である。
【００９２】
図１４Ｂは、コネクタ保管を包含する２つのドアを具備したシャーシの一実施例を示している。実施例６５０は、例えば、シャーシ６５１、第１モジュールエリア６５６Ａ、第２モジュールエリア６５６Ｂ、モジュールガイドの第１の組６５４Ａ、モジュールガイドの第２の組６５４Ｂ、モジュール保持器の第１の組６５８Ａ、モジュール保持器の第２の組６５８Ｂを具備する上部スプリッタモジュール棚６５２、上部シャーシファイバガイド６６０Ａ、下部シャーシファイバガイド６６０Ｂ、下部保管管理エリア６６６、上部保管管理エリア６６４、上部及び下部保管フィールド６６８、６７０、パネル上部ファイバガイド６７２、パネル下部ファイガガイド６７４、内部容積６８０を具備する第１ドアパネル、及び第１ドアパネル６６２Ａと実質的に同一の構成を具備した第２ドアパネル６６２Ｂを包含可能である。図１４Ｂの実施例は、スプリッタモジュール出力を保管する容器が、２つのヒンジ結合されたドアパネル６６２Ａ、６６２Ｂ上に包含されていることを除いて、図１４Ａの実施例と実質的に同一の方式において動作する。この図１４Ａ及び図１４Ｂのシャーシの実施例は、地上に取り付けられるエンクロージャ、並びに、電柱上に支持されるエンクロージャの両方に使用可能である。
【００９３】
図１５は、ヒンジ結合保管を利用する装置エンクロージャの模範的な実装を示している。エンクロージャ１５００は、第１ヒンジ結合ドア１５０２、第２ヒンジ結合ドア１５０４、保管アダプタの第１の組１５０６、保管アダプタの第２の組１５０８、ファイバチャネルの第１の組１５１０、ファイバチャネルの第２の組１５１２、第１のエンクロージャドア１５１４、第２エンクロージャドア１５１６、及び第１ヒンジ１５１８を包含可能である。
【００９４】
エンクロージャ１５００は、前述のようにファイバ配線ハブを包含可能である。エンクロージャ１５００は、地上レベルにおいて又は電柱の最上部の近傍において電柱に取り付け可能である。更には、エンクロージャ１５００は、地面に及び／又は地下室に取り付けることも可能である。第１及び第２エンクロージャドア１５１４及び１５１６は、エンクロージャ１５００の内部への主要なアクセスとして機能可能である。尚、図１５の実装は、２つのエンクロージャドアを具備したエンクロージャを示しているが、その他の実施例は、単一のエンクロージャドアを包含可能である。
【００９５】
エンクロージャ１５００は、１つ又は複数の保管アダプタを保持するべく構成及び適合された第１ヒンジ結合ドア１５０２及び第２ヒンジ結合ドア１５０４を包含可能である。第１及び第２ヒンジ結合ドア１５０２、１５０４は、実質的に平坦であってよく、且つ、保管アダプタ１５０６、１５０８を収容するための切り取られた部分（又は、パネル開口部）を包含可能である。又、第１及び第２ヒンジ結合ドア１５０２、１５０４は、保管アダプタ１５０６、１５０８内にプラグ接続可能であるコネクタと関連した光ケーブルをルーティングするためのファイバチャネル１５１０、１５１２をも包含可能である。ヒンジ１５１８及び１５２０などの１つ又は複数の旋回装置（図示されてはいない）を使用することにより、エンクロージャ１５００及び／又はエンクロージャドア１５１４、１５１６上において第１及び第２ヒンジ結合ドア１５０２、１５０４を旋回可能に支持可能である。
【００９６】
図１６は、本発明の原理による第１ヒンジ結合ドア１５０２及び／又は第２ヒンジ結合ドア１５０４との関連において使用可能である保管アダプタの模範的な実装１６００を示している。保管アダプタ１６００は、光ファイバケーブル及び／又はアダプタダストキャップと関連付けられたコネクタを収容する能力を有する任意の装置を包含可能である。例えば、保管アダプタ１６００は、ＳＣコネクタ、ＬＣコネクタ、及び／又は当技術分野において既知のその他のコネクタを収容するべく構成及び適合可能である。又、保管アダプタ１６００は、ＳＣ及び／又はＬＣダストキャップ及び／又はＳＣ又はＬＣアダプタダストキャップを収容するべく構成及び適合することも可能である。保管アダプタ１６００の実装は、行及び／又は列において配列された１６個のアダプタを包含可能であるが、その他の実装は、更に少ない数のアダプタ、更に多い数のアダプタ、及び／又は複数の行及び／又は列において配列されたアダプタを包含可能である。保管アダプタ１６００は、エンクロージャ１５００などのエンクロージャ内において垂直及び／又は水平の向きに設置可能である。保管アダプタ１６００は、工具及び／又は止め具を伴うことなしに、取り付けるべく構成及び適合可能であると共に／又は、保管アダプタ１６００は、ねじ、リベット、タイラップ、接着接合法などの留め具を介して取り付けるべく構成可能である。保管アダプタ１６００は、射出成形及び／又は機械加工により、プラスチック、金属、及び／又は複合材料から製造可能である。
【００９７】
保管アダプタ１６００は、ベース１６０２、下部係合タブ１６０４、上部係合フック１６０６、ダストキャップポスト１６０８、アダプタ保管容器１６１０を包含可能である。保管アダプタ１６００は、第１ヒンジ結合ドア１５０２及び／又は第２ヒンジ結合ドア１５０４と関連付けられたパネルなどの表面において機能するべく適合可能である。保管アダプタ１６００は、下部パネル開口部１６１２Ａ及び／又は上部パネル開口部１６１２Ｂを介してパネル上に支持可能である。ベース１６０２は、保管アダプタ１６００がその上部に設置された際に、ヒンジ結合されたドア１５０２及び／又は１５０４と関連付けられたパネルなどのパネルに対して安着するべく適合された実質的に平坦な表面を包含可能である。下部係合タブ１６０４は、ヒンジ結合されたドア１５０２及び／又は１５０４上に設置された際に、下部パネル開口部１６１２Ａと係合して保管アダプタ１６００の下部を着脱自在に支持するべく構成及び適合可能である。
【００９８】
上部係合フック１６０６は、既定の場所において保管アダプタ１６００の上部部分を保持する能力を有する任意の装置を包含可能である。例えば、一実装においては、上部係合フック１６０６は、動作可能に係合された際に、上部パネル開口部１６１２Ｂの一部に対して上向きの力を作用させる張力が付与されたフックとして構成及び適合可能である。上部係合フック１６０６は、例えば、保管アダプタ１６００の上部部分をヒンジ結合されたドア１５０２及び／又は１５０４から離れる方向に引っ張りつつ下向きの圧力を印加することにより、ヒンジ結合ドア１５０２及び／又は１５０４から係合解除可能である。実質的に任意の数の保管対象のコネクタ及び／又はアダプタダストカバーに対応するべく、実質的に任意の数の保管アダプタ１６００を並列配置可能である。
【００９９】
保管アダプタ１６００は、１つ又は複数のダストキャップポスト１６０８を包含可能である。ダストキャップポスト１６０８は、光ファイバと関連付けられたコネクタから除去されたコネクタダストキャップを収容するべく構成及び適合可能である。例えば、ダストキャップポスト１６０８は、ＳＣダストキャップ及び／又はＬＣダストキャップを収容するべく適合可能である。ダストキャップポスト１６０８は、コネクタと関連した光ファイバの保護が必要となる時点（例えば、コネクタが加入者ポートから除去される際など）までダストキャップを保持するための便利な場所を提供可能である。ダストキャップポスト１６０８の実装をテーパー化及び／又は段階化することにより、複数のタイプのダストキャップに対応可能である。
【０１００】
保管アダプタ１６００は、光スプリッタと関連付けられたファイバピグテールなどの光ファイバと関連付けられたコネクタを収容べく構成及び適合可能である１つ又は複数のアダプタ保管容器１６１０を包含可能である。例えば、保管アダプタ１６００の実装は、ＳＣ及び／又はＬＣコネクタを収容するべく構成及び適合可能である。アダプタ保管容器１６１０は、埃及び／又は湿気がコネクタの内部及び／又はその内部に収容されたファイバに到達することを防止するために、結合されたコネクタに対して相対的に堅固なフィットを提供するべく寸法設定可能である。例えば、アダプタ保管容器１６１０は、塵が容器表面とコネクタ表面の間のギャップを通過することを阻止するべく、光ファイバと関連付けられたコネクタの寸法よりもわずかに大きくなるように構成及び寸法設定可能である。
【０１０１】
図１７は、関連付けられた光ファイバを具備する保管されたコネクタと共に、アダプタダストキャップ及びコネクタダストキャップを包含する模範的な保管アダプタを示している。保管アダプタ１６００は、コネクタ上において使用されていない際にダストキャップポスト１６０８上において着脱自在に支持されたコネクタダストキャップ１７０２を包含可能である。コネクタダストキャップ１７０２は、ＳＣ、ＬＣ、及び／又は光ファイバとの関連において使用可能であるその他のタイプのコネクタダストキャップを包含可能である。又、保管アダプタ１６００は、ブーツ１７１０を具備した光ファイバコネクタ１７０８及びこれと関連する光ファイバ１７１２と共に機能可能である。光ファイバコネクタ１７０８、ブーツ１７１０、及び光ファイバ１７１２は、例えば、加入者終端棚３５２（図８）などの加入者終端棚又はフィールドとの関連における加入者に対するサービスの提供と関連するものであってよい。
【０１０２】
光ファイバコネクタ１７０８は、光ファイバからの光信号を容器及び／又は別のコネクタに対して結合する能力を有する任意のタイプのコネクタを包含可能である。光ファイバコネクタ１７０８は、ＬＣ、ＳＣ、及び／又はその他のタイプの好適なコネクタを包含可能である。ブーツ１７１０は、コネクタ１７０８からファイバ１７１２への遷移部分に近接して配置可能であり、且つ、コネクタとファイバを結合するべく機能可能であり、且つ、光ファイバ１７１２と関連付けられた曲げ半径を管理するべく機能可能である。
【０１０３】
保管アダプタ１６００は、加入者終端フィールド又はパネルから除去された際にアダプタダストキャップ１７０６を収容するべく構成及び適合されたアダプタ保管容器１６１０を包含可能である。例えば、ＦＤＨは、加入者が、例えば、関連付けられたコネクタ及び光ファイバを具備したファイバピグテールにより、動作可能な光接続を介してソースに対して結合される時点までアダプタダストキャップ１７０６を具備している加入者終端パネルを包含可能である。加入者が加入者終端に対して結合された際に、その終端を保護していたアダプタダストキャップ１７０６を除去し、アダプタ保管容器１６１０内に配置可能である。一例として、コネクタ１７０８及びファイバ１７１２をアダプタ保管容器１６１０から除去し、加入者終端に接続可能である。そして、この加入者終端からのアダプタダストキャップを、その最近接続された加入者と関連付けられたコネクタをそれまで収容していたアダプタ保管容器内に設置可能である。
【０１０４】
保管アダプタ１６００は、そのアダプタと関連付けられたすべてのコネクタが光信号を加入者に対して伝達するべく使用されている際には、エンクロージャから除去可能である。ヒンジ結合ドア１５０２、１５０４と関連付けられたすべての保管アダプタ１６００がもはや使用されていない際には、ヒンジ結合ドア１５０２、１５０４を除去し、別のエンクロージャ内において再使用可能である。或いは、この代わりに、保管アダプタ１６００が除去された際に、ヒンジ結合ドア１５０２、１５０４を平らな実質的に非透過性のパネルによって強化することにより、埃及び／又は湿気がエンクロージャの内部に到達することを防止可能である。或いは、この代わりに、保管アダプタが除去された際に、ブランクのヒンジ結合パネルを設置することにより、埃、塵、及び／又は湿気がエンクロージャの内部に到達することを防止可能である。
【０１０５】
図１８は、固定された保管アダプタを具備する模範的なエンクロージャを示している。エンクロージャ１８００は、固定されたアダプタ１８０２及び背面パネル１８０４を包含可能である。固定アダプタ１８０２は、実質的に図１６及び図１７との関連において説明した保管アダプタ１６００として構成及び寸法設定可能である。
【０１０６】
背面パネル１８０４は、実質的に平坦であってよく、且つ、加入者終端フィールドを支持するべく使用可能な上部パネル開口部１８０８及び／又は１つ又は複数の固定保管アダプタ１８０２を支持するべく使用可能な下部パネル開口部１８１０を包含可能である。背面パネル１８０４は、光スプリッタモジュール棚の背面パネルとして機能可能である。光スプリッタが設置された際に、それらのスプリッタモジュールと関連付けられたコネクタを固定保管アダプタ１８０２の１つ又は複数のバンクに保管可能である。例えば、出力ピグテール１１０（図３Ａ）と関連付けられたコネクタを固定保管アダプタ１８０２上に保管可能である。コネクタは、サービスを加入者に対して接続するべく使用されるものであるため、固定保管アダプタ１８０２は、使用されていないコネクタを保存するべくもはや不要となった際には、除去可能である。除去された固定保管アダプタ１８０２は、その他のエンクロージャ内において再使用可能である。
【０１０７】
固定保管アダプタ１８０２に結合されたコネクタと関連付けられた光ファイバは、ガイドチャネル１８０６を通じて延長可能である。ガイドチャネル１８０６は、前述のように、光ファイバと関連付けられた緩みを組織的な方式において管理可能である。
【０１０８】
図１９は、ヒンジ結合保管を有するエンクロージャを構成する模範的な方法を示している。１つ又は複数のヒンジ結合された保管パネル又はドア１５０２、１５０４をエンクロージャ１５００内に設置可能である（段階１９０２）。ヒンジ結合された保管パネル１５０２、１５０４は、エンクロージャドア１５１４、１５１６と共に開放するべく構成可能であり、或いは、独立的に開放するべく構成することも可能である。１つ又は複数の保管アダプタ１６００を保管パネル１５０２、１５０４上に設置可能である（段階１９０４）。保管アダプタ１６００は、関連付けられたいくつかのアダプタ容器１６１０を具備可能である。
【０１０９】
関連付けられた光ファイバ１７１２を具備する未割り当てのコネクタ１７０８をアダプタ容器１６１０と係合可能である（段階１９０６）。コネクタ１７０８は、サービスを加入者に対して接続することが必要となる時点まで保存可能である。保管されているコネクタ１７０８と関連付けられた光ファイバ１７１２をファイバチャネル１５１０を通じてルーティングすることにより、整然とした方式によってファイバを保持可能である（段階１９０８）。保管されているコネクタ１７０８と関連する過剰なファイバ１７１２は、エンクロージャ内のどこか別の場所に配置されているファイバチャネルを通じてルーティング可能である（段階１９１０）。例えば、ファイバチャネル１５１０は、ヒンジ結合された保管パネル１５０２、１５０４及び／又はエンクロージャアクセスドア１５１４、１５１６が開放及び／又は閉鎖される際の光ファイバの過剰な曲がり及び／又は圧迫を防止するために、ファイバ管理ガイド３５８（図８）などのエンクロージャ内のどこか別の場所に配置されたファイバチャネルとの関連において緩みを維持するべく構成及び配列可能である。又、ファイバチャネル１５１０は、エンクロージャ内における整然としたファイバ構成の維持を促進するべく、望ましい量、向き、及び位置において緩みを維持するべく構成及び配列可能である。ヒンジ結合された保管パネル１５０２は、コネクタ１７０８が保管され、且つ、過剰な光ファイバがファイバチャネル１５１０内に配置された後に、閉鎖可能である（段階１９１２）。
【０１１０】
図２０は、ヒンジ結合保管を利用するエンクロージャと関連付けられた光信号に対して加入者を接続する模範的な方法を示している。本方法は、エンクロージャドア１５１４、１５１６及びヒンジ結合保管パネル１５０２、１５０４が開放された際に開始可能である（段階２００２）。保管されているコネクタ１７０８を保管アダプタ１６００から除去可能である（段階２００４）。コネクタダストキャップ１７０２をコネクタから除去可能である（段階２００６）。コネクタダストキャップ１７０２をダストキャップポスト１６０８上に配置することにより、将来使用するべく、除去されたダストキャップ１７０２を既知の場所において保持可能である（段階２００８）。
【０１１１】
除去されたコネクタ１７０８と関連付けられた光ファイバ１７１２をファイバチャネル１５１０から除去可能である（段階２０１０）。光ファイバ１７１２をエンクロージャ内の１つ又は複数のファイバチャネル１５１０を通じてルーティングすることにより、過剰なファイバの管理に対応可能である（段階２０１２）。アダプタダストキャップ１７０６を加入者終端フィールド内の加入者終端から除去可能である（段階２０１４）。保管アダプタ１６００から除去されたコネクタ１７０８をアダプタダストキャップ１７０６が除去された加入者終端に対して接続可能である（段階２０１６）。コネクタ１７０８が加入者終端に対してプラグ接続された際に、その終端と関連付けられた加入者に対して通信サービスを提供可能である。段階２０１４において加入者終端から除去されたアダプタダストキャップ１７０６は、段階２００４においてコネクタ１７０８が除去された保管アダプタ１６００に挿入可能である（段階２０１８）。
【０１１２】
コネクタ及びファイバを固定された保管アダプタ及び／又はスプリッタフェイスプレートと関連付けられた保管アダプタから除去し、図２０との関連において説明したものと類似した方式において加入者終端に接続可能である。
【０１１３】
本発明によるシステム及び方法によれば、受動型光ネットワーク内において使用されるエンクロージャを構成可能である。例えば、使用されていないコネクタ、並びに／或いは、コネクタ及び／又はアダプタと関連付けられたダストキャップの便利な保管を提供するべく、エンクロージャを構成可能である。
【０１１４】
以上における本発明の模範的な実施例の説明は、例示及び説明を提供するものであり、本発明のすべてを網羅したり、或いは、開示された形態そのままに本発明を限定することを意図したものではない。以上の開示内容に鑑み、変更及び変形が可能であり、或いは、これらを本発明の実施を通じて取得可能である。例えば、図１９及び図２０との関係において一連の段階について説明しているが、本発明によるその他の実装においては、これらの段階の順序を変更可能である。更には、非依存性の段階を並行的に実装することも可能である。
【０１１５】
例えば、本発明の精神を逸脱することなしに、図面に示されており、且つ、本明細書に記述されているもの以外のコネクタ、容器、アダプタ、及び／又はルーティング技法を使用することにより、本発明の原理による実装を実装可能である。更には、図１９及び図２０との関連において説明した方法と関連するイベントのシーケンスは、図示のもの以外の順序においても実行可能である。更には、特定の配備、アプリケーション、及びユーザー及び／又はサービスプロバイダのニーズに応じて、更なるイベントを追加又は除去可能である。更には、開示された実装は、ハードウェア回路及び／又はソフトウェアの任意の特定の組み合わせに限定されものでもない。
【０１１６】
本発明の説明において使用された要素、段階、又は命令は、明示的に記述されていない限り、本発明にとって決定的又は不可欠なものであると解釈してはならない。又、本明細書に使用されている冠詞「ａ」は、１つ又は複数の項目を包含するべく意図されている。１つの項目のみを意図する場合には、「ｏｎｅ（１つの）」という用語又は類似した文言が使用されている。更には、本明細書に使用されている「ｂａｓｅｄ  ｏｎ（基づいた）」という文言は、明示的に特記されていない限り、「ｂａｓｅｄ，  ａｔ  ｌｅａｓｔ  ｉｎ  ｐａｒｔ（少なくとも部分的に基づいた）」を意味することが意図されている。
【０１１７】
本発明の範囲は、添付の請求項及びそれらの等価物によって定義されているとおりである。
【図面の簡単な説明】
【０１１８】
【図１】本発明の好適な実施例による受動型光ネットワーク（Ｐａｓｓｉｖｅ  Ｏｐｔｉｃａｌ  Ｎｅｔｗｏｒｋ：ＰＯＮ）コンポーネントを使用した（例えば、ＦＴＴＰ（Ｆｉｂｅｒ−Ｔｏ−Ｔｈｅ−Ｐｒｅｍｉｓｅｓ）ネットワークなどの）広帯域アクセスネットワークを概略的に示している。
【図２】本発明の好適な実施例によるＦＴＴＰネットワークの更なる詳細を概略的に示している。
【図３Ａ】本発明の好適な実施例によるコネクタ付きピグテールを具備したファイバ配線ネットワーク内の光スプリッタモジュールを示している。
【図３Ｂ】本発明の好適な実施例による光コンポーネントモジュールの模範的な実施例を示している。
【図４Ａ】本発明の好適な実施例による光スプリッタモジュールピグテールの設置を概略的に示している。
【図４Ｂ】本発明の好適な実施例による光スプリッタモジュールのサービス接続構成を概略的に示している。
【図５Ａ】本発明の好適な実施例による互いに隣接するモジュールを具備したネットワーク内における光スプリッタモジュールのピグテールの設置を概略的に示している。
【図５Ｂ】本発明の好適な実施例による互いに隣接するモジュールを具備した光スプリッタモジュールのサービス接続構成を概略的に示している。
【図５Ｃ】本発明の好適な代替実施例による隣接するファイバ配線ハブ間におけるサービス接続構成を概略的に示している。
【図５Ｄ】本発明の好適な代替実施例による隣接するファイバ配線ハブ間におけるサービス接続構成を概略的に示している。
【図６Ａ】本発明の一態様によるシングル幅スプリッタモジュールの一実施例及びダブル幅モジュールの一実施例を示している。
【図６Ｂ】本発明の一態様による模範的なスプリッタモジュール構成を示している。
【図６Ｃ】本発明の一態様による模範的なスプリッタモジュール構成を示している。
【図６Ｄ】本発明の一態様による模範的なスプリッタモジュール構成を示している。
【図６Ｅ】本発明の一態様による模範的なスプリッタモジュール構成を示している。
【図６Ｆ】本発明の一態様による模範的なスプリッタモジュール構成を示している。
【図６Ｇ】本発明の一態様による模範的なスプリッタモジュール構成を示している。
【図６Ｈ】本発明の一態様による模範的なスプリッタモジュール構成を示している。
【図７Ａ】本発明の好適な実施例によるファイバ配線ハブの図を示している。
【図７Ｂ】本発明の好適な実施例によるファイバ配線ハブの図を示している。
【図７Ｃ】本発明の好適な実施例によるファイバ配線ハブの図を示している。
【図７Ｄ】本発明の好適な実施例によるファイバ配線ハブの図を示している。
【図７Ｅ】本発明の好適な実施例によるファイバ配線ハブの図を示している。
【図８】本発明の好適な実施例によるファイバ配線ハブエンクロージャの内部コンポーネントの図を示している。
【図９】本発明の好適な実施例による並列装置構成を具備したファイバ配線ハブエンクロージャの概略図を示している。
【図１０】本発明の一態様によるヒンジ結合シャーシを利用したＦＤＨの一実施例を示している。
【図１１Ａ】分割エンクロージャを利用したＦＤＨの一実施例を示している。
【図１１Ｂ】分割エンクロージャを具備したＦＤＨの態様及び実施例を示している。
【図１１Ｃ】分割エンクロージャを具備したＦＤＨの態様及び実施例を示している。
【図１１Ｄ】分割エンクロージャを具備したＦＤＨの態様及び実施例を示している。
【図１１Ｅ】分割エンクロージャを具備したＦＤＨの態様及び実施例を示している。
【図１１Ｆ】分割エンクロージャを具備したＦＤＨの態様及び実施例を示している。
【図１１Ｇ】分割エンクロージャを具備したＦＤＨの態様及び実施例を示している。
【図１１Ｈ】分割ハウジングを具備したＦＤＨエンクロージャを使用する模範的な方法を示している。
【図１１Ｉ】分割ハウジングを具備したＦＤＨエンクロージャを使用する模範的な方法を示している。
【図１２Ａ】統合された落下抑止ハードウェアを具備した電柱取り付け型ＦＤＨの一実施例を示している。
【図１２Ｂ】高架型ＦＤＨにアクセスする方法を示している。
【図１３】本発明の好適な実施例による光スプリッタモジュールピグテールを設置及び接続する方法を示すフローチャートである。
【図１４Ａ】ファイバ配線ハブ内において使用されるシングルヒンジ結合保管パネルの好適な実施例を示している。
【図１４Ｂ】ファイバ配線ハブ内において使用されるデュアルヒンジ結合保管パネルの好適な実施例を示している。
【図１５】ヒンジ結合保管を利用した装置エンクロージャの模範的な実装を示している。
【図１６】第１ヒンジ結合ドア及び／又は第２ヒンジ結合ドアとの関連において使用可能な保管アダプタの模範的な実装を示している。
【図１７】関連する光ファイバを具備した保管されたコネクタと共にアダプタダストキャップ及びコネクタダストキャップを含む模範的な保管アダプタを示している。
【図１８】固定保管アダプタを具備した模範的なエンクロージャを示している。
【図１９】ヒンジ結合保管を有するエンクロージャを構成する模範的な方法を示している。
【図２０】ヒンジ結合保管を利用したエンクロージャと関連付けられた光信号に対して加入者を接続する模範的な方法を示している。
【図１】
2008538424.tif 000003
【図２】
2008538424.tif 000004
【図３Ａ】
2008538424.tif 000005
【図３Ｂ】
2008538424.tif 000006
【図４Ａ】
2008538424.tif 000007
【図４Ｂ】
2008538424.tif 000008
【図５Ａ】
2008538424.tif 000009
【図５Ｂ】
2008538424.tif 000010
【図５Ｃ】
2008538424.tif 000011
【図５Ｄ】
2008538424.tif 000012
【図６Ａ】
2008538424.tif 000013
【図６Ｂ】
2008538424.tif 000014
【図６Ｃ】
2008538424.tif 000015
【図６Ｄ】
2008538424.tif 000016
【図６Ｅ】
2008538424.tif 000017
【図６Ｆ】
2008538424.tif 000018
【図６Ｇ】
2008538424.tif 000019
【図６Ｈ】
2008538424.tif 000020
【図７Ａ】
2008538424.tif 000021
【図７Ｂ】
2008538424.tif 000022
【図７Ｃ】
2008538424.tif 000023
【図７Ｄ】
2008538424.tif 000024
【図７Ｅ】
2008538424.tif 000025
【図８】
2008538424.tif 000026
【図９】
2008538424.tif 000027
【図１０】
2008538424.tif 000028
【図１１Ａ】
2008538424.tif 000029
【図１１Ｂ】
2008538424.tif 000030
【図１１Ｃ】
2008538424.tif 000031
【図１１Ｄ】
2008538424.tif 000032
【図１１Ｅ】
2008538424.tif 000033
【図１１Ｆ】
2008538424.tif 000034
【図１１Ｇ】
2008538424.tif 000035
【図１１Ｈ】
2008538424.tif 000036
【図１１Ｉ】
2008538424.tif 000037
【図１２Ａ】
2008538424.tif 000038
【図１２Ｂ】
2008538424.tif 000039
【図１３】
2008538424.tif 000040
【図１４Ａ】
2008538424.tif 000041
【図１４Ｂ】
2008538424.tif 000042
【図１５】
2008538424.tif 000043
【図１６】
2008538424.tif 000044
【図１７】
2008538424.tif 000045
【図１８】
2008538424.tif 000046
【図１９】
2008538424.tif 000047
【図２０】
2008538424.tif 000048
【国際調査報告】
2008538424.tif 000049
2008538424.tif 000050